(57)【要約】  本発明は、（ｉ）歯付きのケーブルタイストリップ（１７）と、（ｉｉ）歯付きのケーブルタイストリップ（１７）への戻り止め係合のための戻り止めデバイスを備えるケーブルタイヘッド（１６）と、を有する少なくとも１つのケーブルタイ（１３）を有し、さらにケーブルタイ（１３）から離間されている少なくとも１つの保持装置（１）を有する固定システムに関連し、ケーブルタイ（１３）が、完全な組み立て状態において、ケーブルタイ（１３）によって保持されている結束される材料（３９）を保持装置（１）から離間させて配置することになるように、保持装置（１）に対して位置決めされ、それにより結束される材料（３９）の摩耗が軽減される。本発明は同様に、ケーブルタイ（１３）、および上記の種類の固定システムのための保持装置（１）、ならびに対応する組み立て方法に関連する。【選択図】図１４
2019524044.tif 000002
【特許請求の範囲】
【請求項１】
歯付きのケーブルタイストリップ（１７）を有し、さらに前記歯付きのケーブルタイストリップ（１７）への戻り止め係合のための戻り止めデバイスを備えるケールタイヘッド（１６）を有するケーブルタイ（１３）のための保持装置（１）であって、該保持装置（１）は
ａ）前記保持装置（１）をコンポーネントに固定するための固定用脚部（２）と、
ｂ）前記固定用脚部（２）上に配置されており、前記保持装置（１）を通るように前記ケーブルタイストリップ（１７）を押すためのおよび前記保持装置（１）上で前記ケーブルタイ（１３）を保持するための通過領域（４）を有する固定用ヘッド（３）と
を有し、
前記通過領域（４）が、正確な外形を有する状態で前記ケーブルタイ（１３）を受けるために、少なくとも一対の反対側に方向付けられる支持表面（５ａ、５ｂ、６ａ、６ｂ）をいずれの場合も備える少なくとも２つの異なる形で方向付けられるガイドスロット（５、６）を有し、
前記支持表面（５ａ、５ｂ、６ａ、６ｂ）が、前記ケーブルタイヘッド（１６）および／または前記ケーブルタイストリップ（１７）の関連付けられる表面領域を案内するように構成されており、その結果、前記ケーブルタイ（１３）が、結束される材料（３９）に完全に組み付けられたときに、前記ケーブルタイヘッド（１６）および／または前記ケーブルタイストリップ（１７）がいずれの場合もガイドスロット（５、６）の前記支持表面（５ａ、５ｂ、６ａ、６ｂ）の各対の間に少なくとも部分的に配置されるようになる、該保持装置（１）において
少なくとも１つの第１の対の支持表面（５ａ、５ｂ）を備える前記第１のガイドスロット（５）が、前記ケーブルタイヘッド（６）の縁部側（２３、２３’）のところで表面領域に当接するように構成されている
ことを特徴とする保持装置（１）。
【請求項２】
請求項１に記載の保持装置（１）において、
前記ガイドスロット（５、６）が互いに対して開いており、その結果、前記ケーブルタイストリップ（１７）および／または前記ケーブルタイヘッド（１６）が、１つのガイドスロット（５、６）の中に、具体的には第２のガイドスロット（６）の中に挿入されるときに、もう一方のガイドスロット（５、６）の方へ、具体的には前記第１のガイドスロット（５）の方へ向かうように案内可能である
ことを特徴とする保持装置（１）。
【請求項３】
請求項１または２に記載の保持装置（１）において、
前記ガイドスロット（５、６）がいずれの場合も、互いに対して７５度から１０５度の間、具体的には８５度から９５度の間の角度で配置されている
ことを特徴とする保持装置（１）。
【請求項４】
請求項１乃至３のいずれか１項に記載の保持装置（１）において、
前記固定用ヘッド（３）が前記通過領域（４）内に２つのアーム（７、８）を有し、前記２つのアーム（７、８）が、
−  前記固定用脚部（２）の方を向くそれぞれの脚部領域（７ａ、８ａ）、および前記固定用脚部（２）からそれる側を向くそれぞれの端部領域（７ｃ、８ｃ）と、
−  脚部領域（７ａ、８ａ）と端部領域（７ｃ、８ｃ）との間に位置しており、内側に位置するそれぞれの支持表面（５ａ、５ｂ）を有するそれぞれの中央領域（７ｂ、８ｂ）とを有し、前記内側に位置する支持表面（５ａ、５ｂ）が、前記第１の対の支持表面（５ａ、５ｂ）を備える前記第１のガイドスロット（５）の一部分であることを特徴とする保持装置（１）。
【請求項５】
請求項１乃至４のいずれか１項に記載の保持装置（１）において、
前記通過領域（４）が、第３のガイドスロット（２４）を有しており、
前記第３のガイドスロット（２４）は、前記第１のガイドスロット（５）および前記第２のガイドスロット（６）に対して異なる形で方向付けられており、
また、前記第３のガイドスロット（２４）は、いずれの場合も反対側に位置する少なくとも１つの第３の対の支持表面（２４ａ、２４ｂ）を有しており、前記第３の対の支持表面（２４ａ、２４ｂ）は、前記ケーブルタイヘッド（１６）および／または前記ケーブルタイストリップ（１７）の関連付けられる表面領域に当接するように構成されており、その結果、ケーブルタイ（１３）が結束される材料（３９）に完全に組み付けられている場合において、前記ケーブルタイヘッド（１６）および／または前記ケーブルタイストリップ（１７）が、前記支持表面（２４ａ、２４ｂ）の間に少なくとも部分的に配置されるようになる
ことを特徴とする保持装置（１）。
【請求項６】
請求項５に記載の保持装置（１）において、
前記第２のガイドスロット（６）が、前記完全な組み立て状態において、その一方の支持表面（６ａ）を前記ケーブルタイストリップ（１７）の外側（２１）の表面領域に当接させる状態となるように、および、そのもう一方の支持表面（６ｂ）を、前記ケーブルタイストリップ（１７）の方を向く前記ケーブルタイヘッド（１６）の前方側（２５）の表面領域に当接させる状態となるように、具体的には前記通過領域（４）の垂直方向における前記ケーブルタイ（１３）の動きを防止するように、構成されている
ことを特徴とする保持装置（１）。
【請求項７】
請求項５または６に記載の保持装置（１）において、
前記第３のガイドスロット（２４）が、前記完全な組み立て状態において、その一方の支持表面（２４ａ）を前記ケーブルタイヘッド（１６）の内側（２２）の表面領域に当接させる状態となるように、さらに、そのもう一方の支持表面（２４ｂ）を前記ケーブルタイヘッド（１６）の外側（２１）のおよび／または前記ケーブルタイヘッド（１６）に隣接する前記ケーブルタイストリップ（１７）の外側（２１）の表面領域に当接させる状態となるように、具体的には前記通過領域（４）の深さ方向における前記ケーブルタイ（１３）の動きを制限するように、構成されている
ことを特徴とする保持装置（１）。
【請求項８】
請求項５乃至７のいずれか１項に記載の保持装置（１）において、
前記第１のガイドスロット（５）の反対側の支持表面（５ａ、５ｂ）が、特には前記通過領域（４）の垂直方向および／または深さ方向において互いのところでくさび状に収束し、前記ケーブルタイヘッド（１６）の前記縁部側（２３、２３’）のそれぞれの表面領域に当接するように構成されている
ことを特徴とする保持装置（１）。
【請求項９】
請求項５乃至８のいずれか１項に記載の保持装置（１）において、
前記保持装置（１）が少なくとも１つの追加の案内要素（２８）を有し、前記少なくとも１つの追加の案内要素（２８）が、具体的には前記第１のガイドスロット（５）に隣接し、さらに具体的には前記第３のガイドスロットの一部分であってよく、前記少なくとも１つの追加の案内要素（２８）により、前記ケーブルタイ（１３）の押し込み動作が、実質的に単一の方向での押し込み動作へと限定される
ことを特徴とする保持装置（１）。
【請求項１０】
固定システムであって、該固定システムは
ａ）少なくとも１つのケーブルタイ（１３）を有し、前記少なくとも１つのケーブルタイ（１３）が
ｉ）歯付きのケーブルタイストリップ（１７）、および
ｉｉ）前記歯付きのケーブルタイストリップ（１７）への戻り止め係合のための戻り止めデバイスを備えるケーブルタイヘッド（１６）を有し、
前記固定システムは、また
ｂ）前記固定システムをコンポーネントに固定するための、前記ケーブルタイ（１３）から離間される請求項１乃至９のいずれか１項に記載の少なくとも１つの保持装置（１）
を有する固定システム。
【請求項１１】
請求項１０に記載の固定システムにおいて、
前記保持装置（１）の前記通過領域（４）および前記ケーブルタイ（１３）が、前記保持装置（１）を前記ケーブルタイ（１３）に対して当接させるためのそれらの幾何形状に関して互いに対して適合される
ことを特徴とする固定システム。
【請求項１２】
ケーブルタイ（１３）、具体的には、請求項１乃至９のいずれか１項に記載の保持装置（１）のためのまたは請求項１０または１１に記載の固定システムのためのケーブルタイ（１３）であって、該ケーブルタイ（１３）は
ａ）歯付きのケーブルタイストリップ（１７）と、
ｂ）前記歯付きのケーブルタイストリップ（１７）への戻り止め係合のための戻り止めデバイスを備えるケールタイヘッド（１６）と
を有し、
前記ケーブルタイストリップ（１７）が硬質部品（２０）を有し、さらに前記硬質部品（２０）に対して柔らかい軟質部品（１４）を有し、
前記ケーブルタイストリップ（１７）の外側（２１）および縁部側（２３、２３’）が少なくとも局所的に前記硬質部品（２０）によって形成されており、
前記軟質部品（１４）が、内側で、少なくとも１つのストリップの形態で、前記ケーブルタイストリップ（１７）の大部分にわたって前記硬質部品（２０）に沿って前記ケーブルタイストリップ（１７）の長手方向に延在している、該ケーブルタイ（１３）において、
前記ケーブルタイヘッド（１６）の比較的近くに位置している前記ケーブルタイストリップ（１７）の第１の端部領域（３０）内において、前記軟質部品（１４）の厚さ（ｄＷＫ）が前記ケーブルタイストリップ（１７）の端部に向かって傾斜するように増大する
ことを特徴とするケーブルタイ（１３）。
【請求項１３】
請求項１２に記載のケーブルタイ（１３）において、
前記ケーブルタイストリップ（１７）の内側（２２）が、前記縁部側（２３、２３’）に隣接する前記ケーブルタイストリップ（１７）の境界領域（１２、１２’）内において少なくとも局所的に前記硬質部品（２０）によって形成されている
ことを特徴とするケーブルタイ（１３）
【請求項１４】
請求項１２乃至１３のいずれか１項に記載のケーブルタイ（１３）において、
前記軟質部品（１４）が、増大した厚さ（ｄＷＫ）を有する前記端部領域（３０）内において、前記ケーブルタイストリップ（１７）の内側（２２）にリップ（４４）を有し、前記リップが前記硬質部品（２０）から離間されており、厚さ（ｄＷＫ）の増大した前記端部領域（３０）から前記ケーブルタイヘッド（１６）の方向に延在している
ことを特徴とするケーブルタイ（１３）。
【請求項１５】
保持装置（１）およびケーブルタイ（１３）により、結束される材料（３９）を別のコンポーネントに固定するための方法であって、前記保持装置（１）が、前記保持装置（１）を前記別のコンポーネントに固定するための固定用脚部（２）を有し、
前記保持装置（１）が、さらに、固定用ヘッド（３）を有しており、
前記固定用ヘッド（３）は、前記固定用脚部（２）上に配置されており、
また、前記固定用ヘッド（３）は、前記保持装置（１）を通るように前記ケーブルタイストリップ（１３）を押し込むためのおよび前記ケーブルタイ（１３）を前記保持装置（１）上で保持するための通過領域（４）を有しており、
該方法は、
−  前記保持装置（１）を前記別のコンポーネントに固定するステップと、
−  まず前記保持装置（１）の前記通過領域（４）を通るように前記ケーブルタイストリップ（１７）を押し込むステップと、
−  前記結束される材料（３９）を前記ケーブルタイ（１３）およびひいては前記保持装置（１）に固定するステップとを含み、
前記固定するステップは、前記ケーブルタイヘッド（１６）を通して前記ケーブルタイストリップ（１７）を挿入する状態で、前記結束される材料（３９）の周りにケーブルタイのループを形成するステップを含む、該方法において、
前記結束される材料（３９）の周りに前記ケーブルタイのループを形成する前記ステップが、２回目として、前記保持装置（１）の前記通過領域（４）を通るように前記ケーブルタイストリップ（１７）を押し込むステップを含む
ことを特徴とする方法。
【発明の詳細な説明】
【技術分野】
【０００１】
本発明は、独立請求項のプリアンブルに記載のケーブルタイのための保持装置、ならびにケーブルタイおよび固定システムに関する。
【背景技術】
【０００２】
別のコンポーネントの上でまたは別のコンポーネントに対して結束される材料を束ねるまたは固定するために、多数のケーブルタイ、およびそのような別のコンポーネントに対してケーブルタイを固定する対応する手段が知られている。
【０００３】
ここでのケーブルタイは、閉じたループを形成するためにそれ自体の中に挿入され得、一定の可逆的な形で変形可能である保持手段を意味するものとして理解されるべきである。したがって、ループはそれ自体の中に挿入されているケーブルタイによって形成される。ケーブルタイの完全な組み立て状態では、結束される材料がループを通って延在する。この事例のケーブルタイは、通常、ケーブルタイヘッドを有し、ケーブルタイヘッドの上に細長いケーブルタイストリップが配置されている。ケーブルタイヘッドおよびケーブルタイストリップは例えばプラスチックから単一部片として形成されてよい。ここでのケーブルタイストリップは歯を装備し、上記ループを形成するためにケーブルタイヘッドを通る通過領域を通して挿入され得る。ここでは、ケーブルタイヘッドが、歯付きのケーブルタイストリップに戻り止め係合（ｄｅｔｅｎｔ  ｅｎｇａｇｅｍｅｎｔ）される戻り止めデバイスを有する。ここでは、戻り止めデバイスが、例えばドライバーまたはニードル（ｎｅｅｄｌｅ）などの、適切なツールにより解除可能となるように設計され得る。
【０００４】
より良好に理解することができるように、本発明を理解するのに重要である特定の表現を以下で定義する。ケーブルタイの外側は、周りで完全に組み立てられた状態において、結束される材料の反対側を向くように方向付けられるケーブルタイヘッドおよびケーブルタイストリップの側のことである。したがって、外側はケーブルタイの非組み立て状態であっても一意的に定義される。ケーブルタイの内側は、結束される材料の周りで完全に組み立てられた状態において、結束される材料の方を向くように方向付けられるケーブルタイヘッドおよびケーブルタイストリップの側のことである。それぞれの縁部表面が内側および外側の間のケーブルタイストリップの縁部のところまたはケーブルタイヘッドの内側および外側の間の表面のところに位置する。ケーブルタイストリップの反対側を向くケーブルタイヘッドの側がケーブルタイヘッドの後方側であり、ケーブルタイストリップの方を向いてその上にケーブルタイストリップを配置するケーブルタイヘッドの側がケーブルタイヘッドの前方側である。この事例では、別法として、ケーブルタイがケーブルタイストリップの内側および外側の両方において歯付きであってよい。この場合、それに対応して、ケーブルタイが外側に歯を付けられるケーブルタイまたは内側に歯を付けられるケーブルタイと称される。
【０００５】
例えば、ＤＥ２０２０１２００６８４０Ｕ１が、ケーブルタイヘッドと、上記ケーブルタイヘッドから離れるように延在するケーブルタイストリップとを備えるＨｅｌｌｅｒｍａｎｎＴｙｔｏｎという会社からの上記の種類のケーブルタイを開示しており、ここでは、結束される材料に対するケーブルタイストリップの当接表面が、示される状況において、アンチスリップ構造を有する。米国特許第９３８７６１１（Ｂ２）号が緩衝部分（ｄａｍｐｅｒ）を備えるケーブルタイを開示している。
【０００６】
通常、シングルケーブル、シンブルパイプ、またさらにはパイプまたはケーブルの束を備えることができる結束される材料が保持要素によりケーブルタイのループの中で結束され、それにより、結束される材料に対して保持要素が接続される。ここでは、保持要素は例えば固定用の台座（ｆａｓｔｅｎｉｎｇ  ｐｌｉｎｔｈ）として設計され得、別のコンポーネントに対してねじ式に留められ得るか、接着剤によって結合され得るか、または何らかの他の手法で固定され得る。このような保持要素は例えばＷＯ２０１６／０２００２７Ａ１で開示されている。また、米国特許第５８２００８３（Ａ）号が、ケーブルタイのループの中で結束される材料と共に一体に結束される保持装置を開示している。
【０００７】
さらに、他のコンポーネントに対してやはり固定可能であるいわゆるＰクランプであるクランプが例えばＥＰ２５４１１１３Ａ１およびＥＰ２８１６６９１Ａ１から知られており、これらのクランプはケーブルタイを使用して締められ得、それにより、結束される材料を多様な所定の直径の束の形態で別のコンポーネントに対して固定する。これらのクランプはそのスティフネスのために狭い範囲の直径のみでしか結束される材料のために利用され得ないことから、ここでは通常は異なる直径を有する一連の異なる実施形態が使用されることになる。
【発明の概要】
【発明が解決しようとする課題】
【０００８】
したがって、本発明の目的は結束される材料のための改善された保持装置を提供することであり、この保持装置が、特には、多様な直径を有する結束される材料に適し、例えば１００℃を超えるまた好適には１５０℃を超える高温でも、安価な方式で、無理な力を加えることなく、高い信頼性の正確さで、結束される材料を別のコンポーネントに対して所定の位置で保持する。
【課題を解決するための手段】
【０００９】
上記目的が独立請求項の主題によって達成される。有利な実施形態は、従属請求項、明細書、および図面から明らかとなる。
【００１０】
ａ）保持装置
本発明は、第一に、歯付きのケーブルタイストリップを有し、さらに歯付きのケーブルタイストリップへの戻り止め係合のための戻り止めデバイスを備えるケーブルタイヘッドを有するケーブルタイのための保持装置に関連する。ケーブルタイがプラスチックから製造され得る。ここでは、保持装置がプラスチックで構成され得、具体的にはプラスチックから単一部片で作られ得る。ここでは、保持装置が、保持装置を外部コンポーネントに固定するための固定用脚部と、固定用脚部上に配置されている固定用ヘッドとを有する。固定用ヘッドまたは固定用脚部もプラスチックで構成されてよい。具体的には、固定用脚部が、プラスチックで、およびプラスチックによって封入されている金属部品で構成され得る
ここでは、固定用ヘッドが、保持装置を通るようにケーブルタイストリップを押すかまたは挿入するためのおよび保持装置上でケーブルタイを保持するための通過領域を有する。ここで重要なことは、通過領域が、正確な外形を有する形でケーブルタイを受けるために、各事例において少なくとも一対の反対に方向付けられ、具体的には反対側に位置する支持表面を備える、少なくとも２つの異なる形で方向付けられるガイドスロットを有する。したがって、通過領域が、保持装置上でケーブルタイを組み立てるときに、そのガイドスロットを用いて通過領域を通るようにケーブルタイを一定の形で案内するように機能する。さらに、完全な組み立て状態では、通過領域がケーブルタイを保持するように機能する。
【００１１】
ここでは、それぞれのガイドスロットの支持表面の向きがそれらのそれぞれの法線ベクトルから決定され、反対に方向付けられる支持表面の事例では、これらの法線ベクトルが反対に方向付けられ、つまり反対方向を指す。「実質的に」という表現は、３０度未満、１５度未満、１０度未満、５度未満、またはさらに好適には２度未満での、それぞれの方向のずれを包含するものとして理解され得る。ガイドスロットの向きは、ここでは、２つの支持表面の状況から決定される。したがって、ガイドスロットの向きは、例えば法線ベクトルに対して垂直な平面を通る、ガイドスロットの２つの支持表面の法線ベクトルの減算によって画定され得る。したがって、平行な支持表面の事例では、この平面はそれぞれのガイドスロットの支持表面に平行にも延びる。ここでは、この向きはさらに、法線ベクトルに対して垂直な付随の支持表面の主延在方向によって画定され得る。したがって、まとめると、この向きは、意図される使用中にガイドスロットを通るようにケーブルタイが押されるかまたは引かれるときの方向によって予め決定され得る。
【００１２】
支持表面は反対側に位置する支持表面であってよい。一方の表面の少なくとも１つのそれぞれの法線ベクトルがもう一方の表面を通って延びる場合、２つの表面が反対側に位置する。また、別法として、支持表面は互いに対してオフセットされている支持表面であってもよい。一方の表面の法線ベクトルがもう一方の表面を通って延びず、正確には、一方の表面のすべての法線ベクトルがもう一方の表面の平面においてはもう一方の表面の継ぎ足し部分（ｅｌｏｎｇａｔｉｏｎ）のみを通って延びる場合、２つの表面が互いに対してオフセットされている。具体的には、互いに対してオフセットされている支持表面は以下のようになるように配置され得る：上記方向においてもう一方の支持表面が大きいために、一方の支持表面の法線ベクトルがもう一方の支持表面の平面に交差するところのポイントが、もう一方の表面からそれ以上離れない距離のところで、もう一方の支持表面の平面に当たる。したがって、支持表面の間の「隙間」は、この事例では、上記方向での支持表面の延在量を超えない。
【００１３】
ここでは、指示表面はケーブルタイヘッドおよび／またはケーブルタイストリップの関連付けられる表面領域を案内するように設計される。ここでは、ケーブルタイヘッドおよび／またはケーブルタイストリップの表面領域が各々の事例において好適には互いに反対側に位置する。したがって、ケーブルタイが保持装置上で完全に組み立てられた場合、ケーブルタイヘッドおよび／またはケーブルタイストリップが各々の事例においてそれぞれのガイドスロットの支持表面の各対の間に少なくとも部分的に配置されている。したがって、支持表面は、ケーブルタイヘッドおよび／またはケーブルタイストリップの関連付けられる表面領域に当接するように、具体的にはケーブルタイヘッドおよび／またはケーブルタイストリップの関連付けられる表面領域に対してポジティブロック当接する（ｐｏｓｉｔｉｖｅｌｙ  ｌｏｃｋｉｎｇ  ａｂｕｔｍｅｎｔ）ように、設計される。したがって、最終的な組み立てプロセスの後、ケーブルタイの複数の領域が各々の事例において反対側に位置する支持表面の間に配置されている。
【００１４】
ここでは、少なくとも１つの第１の対の支持表面を備える第１のガイドスロットが、ケーブルタイヘッドおよび／またはケーブルタイストリップの縁部側で表面領域に当接するように設計される。したがって、支持表面の間隔が、縁部側から縁部側までのケーブルタイの横方向においてケーブルタイヘッドおよび／またはケーブルタイストリップの幅に対して適合され得る。これには以下のような効果がある：最終的な組み立てプロセスの後、第１のガイドスロットの支持表面により、ケーブルタイヘッドおよび／またはケーブルタイストリップの縁部側が各々の事例において方向付けられている横方向において、保持装置に対してケーブルタイが動くことが防止される。この横方向は、ケーブルタイの主延在方向を構成するケーブルタイの長手方向に対して垂直に延びる。
【００１５】
さらに、ケーブルタイヘッドのおよび／またはケーブルタイストリップの少なくとも１つのそれぞれの外側および／または内側のそれぞれの表面領域に当接することにより、第２のガイドスロットの支持表面が、さらに、ケーブルタイの横方向とは異なる第２の方向での動きを防止する。上記第２の方向は、この事例では、好適には、横方向に対して実質的に垂直に延びる。したがって、第１のガイドスロットにより、ケーブルタイが長手方向に移動可能となるように案内され、横方向においては保持されている。
【００１６】
したがって、保持装置が、ケーブルタイをその中に挿入して（可能性として、結束される材料と共に）その中で予め固定するところのケージ幾何形状を有する。上記保持装置は以下のことを特徴とする：ケーブルタイが縁部側のところで、さらには、ヘッドの近くの、ケーブルタイの壁幾何形状の少なくとも１つの外側のところで、また好適には２つの外側表面のところで、また最大限でもケーブルタイストリップの内側表面の２つの境界領域のところで、側方においてのみ保持装置によって触れられているかまたは接触されている。２つの境界領域はこの事例では中央領域によって分離されている。ケーブルタイの完全な組み立て状態では、境界領域がケーブルタイヘッドに接近した状態となり得したがってケーブルタイヘッドに隣接した状態となり得る。
【００１７】
ケーブルタイを閉じることつまりそれ自体を通るようにケーブルタイを挿入することにより、つまりケーブルタイヘッドを通るようにケーブルタイストリップを挿入することにより、結束される材料が最終的に留められるかまたは最終的に固定される。ケーブルタイが保持装置に接触することにより、この接触はケーブルタイの縁部側およびケーブルタイの外側表面にのみに限定されるかまたは最大でもケーブルタイの内側表面の境界領域のみに限定されわけであるが、保持装置が結束される材料から一定の距離を維持することになり、つまり（少なくとも、後で説明される適切なケーブルタイを選択することにより）結束される材料から離間された状態を維持する。したがって、保持装置が結束される材料に機械的なダメージを与え得ない。また、逆に、結束される材料の上昇した温度が保持装置に直接に伝達される可能性もなく、それにより保持装置の考えられる材料に関して有利となる。したがって、製造コストを低減することも可能である。というのは、ダメージ受けることなくケーブルタイのみが高温に耐えなければならず、対して保持装置は間隔のおかげで比較的低い温度にしか晒されないからである。
【００１８】
ツールを使用してケーブルタイストリップを結束される材料の既存の直径にまで短くするという、ケーブルタイのこのテクノロジを使用することにより、従来のクランプの使用に対して、多様な結束される材料のために必要となるコンポーネントの数が低減される。したがって、異なる長さを有する、１つまたは２つのケーブルタイまたは１つまたは２つの種類のケーブルタイを使用することにより、多数の異なる直径を有する結束される材料を固定することが可能となる。したがって、例えば、５ミリメートルから５０ミリメートルの範囲内の直径を有する結束される材料を固定することが可能である。したがって、この保持構成の融通性は非常に高い。したがって、この保持装置を使用することにより、比較的低コストの拡張可能なコンポーネントの群を実現することも可能となる。
【００１９】
ここでは、第１のガイドスロットが多様な変形形態で実現され得る。したがって、第１のガイドスロットが、例えば、ケーブルタイストリップの第１の縁部側の第１の表面領域に当接するための第１の支持表面と、ケーブルタイストリップの反対の縁部側の第２の表面領域に当接するための第２の支持表面とを有することができる。上記第１のガイドスロットが、ケーブルタイヘッドの縁部側の第１の表面領域に当接するための第１の支持表面と、ケーブルタイヘッドの第２の縁部側の第２の表面領域に当接するための第２の支持表面とをさらに有することができる。
【００２０】
第１のガイドスロットが分割されている支持表面をさらに有することができ、これらの分割されている支持表面が、各々の事例において、ケーブルタイの相互に離間されている異なる領域（つまり、非ゼロの間隔によって分離されている領域）においてケーブルタイストリップおよび／またはケーブルタイヘッドの縁部側を支持する。したがって、分割されている支持領域は、少なくとも局所的に、つまり局所的にまたは全体として、互いに平行に延びて異なる領域でケーブルタイを支持する部分的な支持表面を有する。したがって、例えば、意図される使用中、ヘッドに近い、ケーブルタイストリップの端部領域を、その縁部側のところで、第１のガイドスロットの部分的な支持表面の対により支持すること、および／あるいはケーブルタイヘッドを通るように挿入されて完全な組み立て領域においてケーブルタイヘッドに隣接する（または、ケーブルタイヘッドに接近する）ケーブルタイストリップの第２の領域を、その縁部側のところで、第１のガイドスロットのさらなる別の部分的な支持表面の対により支持することが可能である。したがって、保持装置と結束される材料との間の間隔がさらに拡大され得、さらに、保持装置内の材料が節約され得る。
【００２１】
ここではさらに、特には、一対の部分的な支持表面を固定用脚部の上に、具体的には移動可能なクランプ要素の上に配置することが可能である。ここでは、１つには、クランプ要素がケーブルタイにより意図される位置で特に正確に保持され、またさらに、ケーブルタイがより正確に案内されて全体の安定性が向上するようになる。
【００２２】
有利な一実施形態では、ガイドスロットを互いに対して開いているようにすることが実現される。したがって、ケーブルタイストリップおよび／またはケーブルタイヘッドが、一方のガイドスロットの中に挿入されるとき、また特には第２のガイドスロットの中に挿入されるとき、もう一方のガイドスロットの方に、具体的には第１のガイドスロットの方に向かうように案内され得る。
【００２３】
したがって、第１のケーブルタイセクションが、もう一方の例えば第１のガイドスロットの中に挿入された後で、第２のケーブルタイセクション、つまり例えばケーブルタイヘッドおよび／またはケーブルタイストリップあるいはケーブルタイヘッドまたはケーブルタイストリップの少なくともそれぞれの一部分が、一方の例えば第２のガイドスロットの中に挿入されるとき、第１のガイドスロットの方に向かうように案内され得る。これは逆でも適用され得る。この場合、これはガイドスロットのうちの少なくとも２つのガイドスロットで適用されるが、特には、より多数のガイドスロットの事例ではガイドスロットのうちの３つのまたはすべてのガイドスロットに相応に適用される。後でさらに明記されるように、第１および第２のならびに／あるいは第１および第３のガイドスロットが互いに対して開いていることが特に有利である。ここでは、第２のガイドスロットが第１のガイドスロットの第１の対の支持表面に対して開いていてよく、第３のガイドスロットが第１のガイドスロットの第２の対の支持表面に対して開いていてよい。具体的には、この場合ではケーブルタイストリップに属する第２のケーブルタイセクション、および第１のガイドスロットの中に挿入されている例えばケーブルタイヘッドである第１のケーブルタイセクションが互いの方へ案内され得、具体的には戻り止めの作用により互いの方に向かうように案内され得る。
【００２４】
したがって、互いに対して開いているガイドスロットが、特に正確でかつ安定する形で保持装置の上でケーブルタイを保持することを可能にする。さらに、操作性が向上し、その結果、例えばガイドスロットの中へのねじ込みプロセスがより容易になる。また、これを目的として、少なくとも１つのガイドスロットでの、つまり例えば第１およびまたは第２、および／または第３のガイドスロットでの各々の事例において、ガイドスロットのそれぞれの支持表面、具体的には反対側に位置する支持表面が、少なくとも局所的に、つまり局所的にまたは全体として、互いのところで円錐状に収束してよい。
【００２５】
別の有利は実施形態では、各々の事例において、互いに対して、７５から１０５度の間、具体的には８５度から９５度の間の角度でガイドスロットが配置されることが実現される。これはガイドスロットのうちの少なくとも２つのガイドスロットで適用され、特には２つの対のガイドスロットまたはすべてのガイドスロットで適用される。それぞれの配置を画定するときの基になるガイドスロットの向きは、この事例では、例えば、支持表面の向きにより、つまり具体的には支持表面の平均の向きにより、画定され得る。平均の向きを決定するために、例えば、支持表面の対のそれぞれの法線ベクトルを互いから減算することが可能であり、さらには異なるガイドスロットのそれぞれの合成ベクトルの向きを比較することが可能である。この言及する配置は、ケーブルタイの自由度がガイドスロットにより物理的に最適な形で制限されるために、ガイドスロットによりケーブルタイを三次元空間内で特に安定する形で保持することが達成されるという利点を有する。
【００２６】
別の有利な実施形態では、固定用ヘッドが、固定用脚部に付随するそれぞれの脚部領域と固定用脚部の反対側を向くそれぞれの端部領域とを有する少なくとも２つのアーム、ならびに脚部領域と端部領域との間に位置するそれぞれの中央領域を通過領域内に有することが実現される。中央領域が、具体的には各々の事例においてもう一方のアームの方を向くそれぞれのアームの内側に、各々の事例において内側に位置する少なくとも１つの支持表面を有する。ここでは、内側に位置する支持表面が、第１の対の支持表面を備える第１のガイドスロットの一部分である。したがって、これらのアームは、具体的には、内側に位置するそれぞれの支持表面を備える領域内の、ケーブルタイストリップの縁部側の一領域内でケーブルタイストリップを支持するように、およびケーブルタイストリップの横方向の動きを防止するように、設計される。ここでは、完全な組み立て状態では、第１のガイドスロットの内側に位置する支持表面の各々が、好適には、少なくとも局所的に、つまり局所的にまたは全体として、ケーブルタイストリップ上に配置されている。これには、内側に位置する支持表面が、実現されている完全な組み立て状態とは無関係にケーブルタイの横方向の案内を既に達成している、という利点がある。これは従来技術とは対照的であり、従来技術の事例では、このような横方向の案内が知られておらず、むしろ、保持構成の、ケーブルタイの内側表面上のおよび結束される材料と共に結束されるウェブ上の摩擦力により横方向の滑りが実現されるが、これは、ケーブルタイを締めること、および完全な組み立て状態において初めて引張力下で戻り止め係合がなされることにより、初めて実現される。したがって、本発明により案内の正確さを向上させることが達成される。
【００２７】
第２のガイドスロットの第２の案内表面では、各々の事例においてアームの端部領域内で、後でさらに説明される対応する凹部の中に係合されるために設けられる突出ラグが提供され得る。したがって、ケーブルタイの案内を改善することおよびケーブルタイをより安定して保持することが実現される。
【００２８】
別の実施形態では、上述したように、第２のガイドスロットの第１の支持表面に対して一定のずれを有するように第２のガイドスロットの第２の支持表面を反対側に方向付けること、つまり互いに対して傾斜するように設計すること、が実現され得る。ここでは、すれは０度から３０度の間であってよい。好適にはずれは１５度であり、つまり第２の支持表面が第１の支持表面に対して好適には１５度だけ傾斜する。この事例では押し込み方向に対して垂直な平面内で、つまり、ケーブルタイを備える保持装置の意図される使用中においてケーブルタイの長手方向に対して垂直な平面内で対応する角度が測定され得る。ここでは、例えば後でより詳細に説明される第２のガイドスロットの第１の支持表面の湾曲部により、ケーブルタイが押し通されるときに同様に湾曲してしたがって押し込み方向が変化するため、押し込み方向が局所的に変化する押し込み方向であってよいことに留意されたい。これにより保持装置内の曲げ荷重が低減され、さらには保持装置と結束される材料との間の間隔を大きくすることが可能となる。
【００２９】
別の実施形態では、第２のガイドスロットがそれぞれのアームの脚部領域内に第１の支持表面を有することおよびそれぞれのアームの端部領域内にさらなる別の支持表面を有することが実現され、これらの支持表面が、第２のガイドスロットの第２の対の、具体的には上記の第２の対の、反対側の支持表面を形成する。したがって、第１の支持表面は第２のガイドスロットの第２の対の反対側の支持表面の一部分であり、具体的には、ケーブルタイの、また特にはケーブルタイストリップの外側に当接するように設計される。さらなる別の支持表面も同様に、上記第２の対の反対側の支持表面の一部分であり、具体的には、ケーブルタイの、また特にはケーブルタイストリップの内側に当接するために提供される。具体的には、さらなる別の支持表面が、この事例では、ケーブルタイまたはケーブルタイストリップの内側の２つの境界領域のうちの少なくとも一方に、具体的には積極的に押止する形で、当接するように設計される。この事例では、境界領域がケーブルタイのそれぞれの縁部側に隣接してよい。ここでは、一方の境界領域が、中央領域により、第２のガイドスロットの第２の対の支持表面のうちの第１のすなわちさらなる別の支持表面に当接しない方であるもう一方の縁部側に付随する境界領域から分離されている。第２のガイドスロットに付随するさらなる別の支持表面は、具体的には、アームのそれぞれの端部領域上の端部表面として設計され得、それにより、完全な組み立て状態において、各々の事例のケーブルタイストリップの内側のところで各々の事例のケーブルタイストリップの境界領域のうちの一方の境界領域に当接するように配置されることになる。ここでは、端部表面の反対側の、具体的には反対側に位置する第１の支持表面が、少なくとも局所的に、つまり局所的にまたは全体として、ケーブルタイストリップの外側に当接するように配置されるように設計され得る。これには、ケーブルタイが、保持装置により、横方向および垂直方向の両方において、正確性および融通性を有するように、正確に嵌合される形で固定され得る、という利点がある。ここでは、保持構成がケーブルの長さとは無関係であり、したがって、ケーブルタイは、通過用開口部を通るケーブルタイの押し込み方向において所望される通りに調整され得、それにより最終的な組み立てプロセスが容易になる。
【００３０】
ここでは、第１および第２のガイドスロットの支持表面が、押し込み方向に対して垂直な断面において、それらの脚部が互いの方を向く形で方向を定められる反対側に位置する２つのＵ形の形状をとることができる。この事例では、第１のガイドスロットの支持表面が各々の事例のＵ字の基部側の脚部上に配置され得る。第２のガイドスロットの支持表面がＵ字の側方側の脚部の内側に配置され得る。また、固定用脚部の方を向くＵ字の側方側の脚部は互いの方へと移行していてもよい。後者の場合、２つのガイドスロットを通る押し込み方向に対して垂直な断面において全体としてＣ形のスロットが形成される。これには、押し通すときに、および完全な組み立て状態時に、ケーブルタイが複数の領域においてＵ字の脚部の周りに係合され、特に正確におよび特に高い信頼性で案内されて保持される、という利点がある。
【００３１】
「Ｃ形」は、具体的には、押し込み方向に対して垂直な断面において、ケーブルタイを用いての意図される使用中に、その中にケーブルタイを押し込むところの押し込み領域の周りを取り囲むような形で中断部分を有する幾何形状を意味するものとして理解されてよい。「Ｃ形」は、好適には、角部を有さない外形を有する幾何形状を意味するものとして理解されてよい。「Ｃ」の開いている向きはこの事例では重要ではない。ケーブルタイを用いての意図される使用中、ここでは、「Ｃ」の端部セクションが各々の事例のケーブルタイストリップの内側境界領域に当接することになる。したがって、ケーブルタイストリップの境界領域がケーブルタイストリップの中央領域により互いから分離されており、中央領域は保持装置に当接しない。ここでは、「Ｃ」の円弧に沿う端部セクションの間に位置する「Ｃ」の中央領域がケーブルタイストリップの外側に当接し、中央領域と端部セクションとの間の「Ｃ」のそれぞれの中間領域がケーブルタイストリップのそれぞれの縁部側に接触する。したがって、まとめると、ケーブルタイおよび結束される材料を用いての保持装置の意図される使用中、ケーブルタイストリップが中央領域において（具体的には、中央領域のみにおいて）結束される材料に触れ、また同時に、外側および縁部側においてならびに境界領域内で、保持装置の対応する支持表面に当接して保持装置によって保持される。これは、好適には、保持装置が結束される材料に触れない形で実現される。
【００３２】
有利な一実施形態では、ここでは、第２のガイドスロットの第１の支持表面を押し込み方向において弓形にすることが実現される。したがって、押し通すときにケーブルタイストリップがその内側に向かって湾曲し、その結果、複数の領域において、結束される材料の周りでケーブルタイストリップが曲げられることが回避される。弓形部分は、第１の支持表面の法線ベクトルを有する平面内で所定の半径を有することができる。具体的には、第１の支持表面が、各々の事例の正のおよび負の押し込み方向において支持表面の湾曲しない端部領域に隣接する湾曲する中央領域を有することができる。ケーブルタイストリップは、この事例では、押し通すとき、最初に１つの湾曲しない端部領域に沿って押され、次いで湾曲する中央領域に沿って押され、最後にさらなる別の湾曲しない端部領域に沿って押される。２つの端部領域は、この事例では、互いに対して１０５度から１６５度の間の角度、また好適には互いに対して１１５度から１４０度の間に角度にあってよい。したがって、保持装置にケーブルタイを組み付けることおよびその後で結束される材料を固定することが容易になる。
【００３３】
ここでは、第１の支持表面がさらなる別の支持表面に対してオフセットされて配置され得、例えば、アパーチャが、さらなる別の支持表面の反対側に位置する第１の支持表面のそれぞれの空間領域内に設けられ得る。これにより製造に関しての利点が得られる。というのは、こうすることにより、切込み部分が必要なくなるからである。
【００３４】
第１の支持表面は、押し込み方向において、さらなる別の支持表面よりもアームの脚部領域においてより大きい延在量を有することができる。具体的には、押し込み方向における第１の支持表面の延在量は、押し込み方向におけるさらなる別の支持表面の延在量の２倍または３倍を超える大きさであってよい。これにより、ケーブルタイストリップの特に良好な案内が実現される。
【００３５】
別の有利な実施形態では、保持装置が、ケーブルタイの押し込み方向に対して実質的に垂直に方向付けられる少なくとも１つの当接表面を有することが実現され、ここでは、ケーブルタイが通路およびガイドスロットを通るように押され得、当接表面が、ケーブルタイストリップの方を向くケーブルタイヘッドの前方側に対して少なくとも１つの表面領域を具体的にはポジティブロック当接させる形で当接させるように機能する。上記当接表面は押し込み方向に対して傾斜する変位用傾斜部分（ｄｉｓｐｌａｃｅｍｅｎｔ  ｒａｍｐ）の形態で構成され得、それにより張力が存在してケーブルタイが押し込み方向に動くときに、ガイドスロットのうちの一方のガイドスロットの、具体的には第２のガイドスロットの、支持表面のうちの一方の支持表面に対してケーブルタイを押圧する。やはり、組み立てが単純であり、正確であるという利点が得られる。というのは、こうすることにより、案内の正確さが向上し、また同時に、なされ得る当接により組み立ての容易さも向上するからである。こうすることにより、保持装置によって所定のロケーションで保持されるケーブルタイヘッドの中へのねじ込みプロセスがやはり容易になる。
【００３６】
別の実施形態では、ブリッジによりアームをそれらの端部領域内で接続することおよびひいては通過領域内に孔状の通路を形成することが実現される。上記通路は、ブリッジと、端部表面の反対側に位置する第２のガイドスロットのアームおよび支持表面とによって境界を画定されている。ここでは、具体的には、押し込み方向に対して実質的に垂直な通路の高さがケーブルタイストリップの最大高さより小さいおよび／またはそれに等しい。ケーブルタイストリップの高さは外側と内側との間隔から決定され得る。これには、具体的にはケーブルタイのまたはケーブルタイストリップの押し込み方向に対して非垂直に方向付けられる当接表面を用いることにより、通過領域内でケーブルタイストリップを追加的に押し込むかまたは戻り止め係合させることが実現され得る、という利点がある。具体的には、通路の高さがケーブルタイストリップの最大高さの高さより小さい場合、例えばケーブルタイストリップの内側に軟質部品を有するといったように、後で説明されるような軟質部品および硬質部品を有するケーブルタイが使用される場合に洗練された形で戻り止め係合を可能にすることが実現される。この事例では、具体的には、押し込み動作中、好適にはケーブルタイストリップの内側の、軟質部品から形成される要素を変形させて戻り止め係合の位置に配置することが可能である。したがって、例示の別の実施形態に基づいて後で考察されるように、保持装置上でケーブルタイが予め組み立てられ得る。
【００３７】
別の実施形態では、具体的には、押し込み方向におけるつまり完全な組み立て状態でのケーブルガイドの長手方向におけるブリッジの厚さを、ケーブルタイストリップの方を向くケーブルタイヘッドの前方側（具体的には、上で言及した当接表面）の間の間隔、またはケーブルタイストリップから離れる方に方向付けられるケーブルタイヘッドの案内表面の間隔に対応させることが可能であり、ケーブルタイヘッドを通してのケーブルタイストリップの挿入中に、一方でケーブルタイストリップの外側がこの案内表面上で案内され、他方でケーブルタイストリップの戻り止め突出部がケーブルタイストリップの内側で案内される。したがって、この場合、ブリッジが、完全な組み立て状態において、戻り止め突出部とケーブルタイヘッドの前方側との間におよび／または戻り止め突出部とケーブルタイストリップの内側との間に配置され得る。ここでは、ケーブルタイストリップのこの内側が、特には、ケーブルタイヘッドを通して挿入されるケーブルタイストリップの領域に隣接する。
【００３８】
したがって、ブリッジの厚さが上記間隔と等しくてよいか、または例えば２パーセント、５パーセント、または１０パーセントといったように、わずかに大きくてもよい。これには、ブリッジが保持装置上のケーブルタイヘッドのための戻り止め装置として機能するという利点がある。ブリッジの厚さが、ケーブルタイストリップの内側の間隔に対して、ケーブルタイヘッドの方を向くケーブルタイストリップの端部の、ケーブルタイストリップの内側に配置されている、ケーブルタイストリップの戻り止め突出部に対して適合されている場合、ケーブルタイヘッドを通してケーブルタイストリップが挿入されている状態である完全な組み立て状態において、ケーブルタイストリップがケーブルタイのブリッジにより所定の位置で最終的に固定され、ケーブルタイを解除しない限り変位され得ないようになる。したがって、結束される材料を高い正確性で特に確実に保持することが実現される。
【００３９】
別の実施形態では、通過領域が第３のガイドスロットを有することが実現され、この第３のガイドスロットが、第１のガイドスロットおよび第２のガイドスロットとは異なる形で方向付けられるかまたは配置されており、各々の事例の少なくとも１つの第３の対の反対側に位置する支持表面を有する。これらの支持表面は、具体的にはポジティブロック当接する形で、ケーブルタイヘッドおよび／またはケーブルタイストリップの付随の各々の事例の反対側に位置する表面領域に当接するように設計され、その結果、結束される材料を用いて完全に組み立てられたケーブルタイの場合、ケーブルタイヘッドおよび／またはケーブルタイストリップが、少なくとも部分的に、つまり部分的にまたは全体として、支持表面の間に配置されることになる。したがって、ケーブルタイヘッドおよび／またはケーブルタイストリップの上記表面領域が、具体的には、ケーブルタイヘッドおよび／またはケーブルタイストリップの内側および／または外側に配置され得る。具体的には、ここでは、第１の対および第２の対の支持表面を方向付けているところの空間的方向から数学的に独立するそれぞれの空間的方向に第３の対の支持表面を方向付けることが可能である。これにより、ケーブルタイの支持が最大限に安定するという利点が得られる。さらに、こうすることにより、ケーブルタイヘッドの位置が特に正確に予め決定され得るようになり、例示の実施形態で後でさらに考察されるように、多様な角度からの組み立ても可能となる。したがって、組み立てを可能な限り容易にすることおよび保持装置の融通性を得ることが達成される。
【００４０】
ここでは、通路がやはり孔状の通路であってよい。通路は少なくとも３つの対の支持表面によって境界を画定され得る。この事例では、異なるガイドスロットの、具体的には第１および第２のならびに／あるいは第１および第３のガイドスロットの、１つまたは複数の支持表面が角部領域または接続領域のところで互いの方へと移行していてよい。
【００４１】
ここでは、支持表面に対して垂直に見る場合、第１のガイドスロットの支持表面がＬ形のデザインであってよい。第１のガイドスロットの支持表面が、第１の脚部のそれぞれの端部領域において、各々の事例における第２のガイドスロットの支持表面の方へ移行していてよい。別法としてまたは加えて、支持表面が、第２の脚部のそれぞれの端部領域において、各々の事例における第３のガイドスロットの支持表面の方に移行していてよい。これらの３つまたは４つの支持表面は、この事例では、好適には、互いに対して少なくとも実質的に垂直に配置されている。ここでは、通過領域が、有利には、Ｌ字の角部内に形成される。完全に組み立てられたケーブルタイの場合、ケーブルタイが、ケーブルタイヘッドを通してケーブルタイストリップを挿入することによって形成されるその交差領域を、第１の支持表面によって形成される２つのＬ形の表面のそれぞれの角部の間に有するように、構成されている。この事例では、ケーブルタイのループが側面図で見てＬ字の脚部の間の領域内に配置されており、ケーブルタイヘッドがＬ字の鋭く曲がる角部の領域に配置されている。したがって、保持装置により、交差領域においてそれ自体を通るケーブルタイのリードスルー部分（ｌｅａｄｔｈｒｏｕｇｈ）により得られる対角線上に反対側に位置する２つの角部または角部領域において、ケーブルタイが、ケーブルタイの内側のところで結束される材料を固定する場合において、通過領域のところで保持装置に対してクランプされている。これにより、正確で、融通性があり、安価である形で、結束される材料を高い信頼性で固定することが実現される。
【００４２】
この実施形態では各々の事例における第１のガイドスロットの支持表面のＬ字の２つの脚部の反対側の２つの端部領域を接続する少なくとも１つのブリッジ、つまりブリッジまたはウェブのうちの１つまたはすべてブリッジまたはウェブが、この事例では、例えばＬ字の脚部の外側にところでＬ字の脚部に隣接してよい。ここでは、外側が、例えば、各々の事例において、それぞれのＬ字のもう一方の脚部の反対側を向きおよび／または上記もう一方の脚部の方に方向付けられないＬ字の脚部の側である。この場合、内側が、これに対応して、Ｌ字の２つの脚部によって形成される角部に隣接するＬ字の側である。したがって、ブリッジが、Ｌ字の脚部と共に、それぞれのＬ字の脚部に対して垂直な断面においてＵ形の形態をとることができる。ここでは、第１のガイドスロットの支持表面が、互いの方に方向付けられるかまたは互いの方を向く、Ｕ字の側方側の脚部の内側に配置されており、各々の事例における第２または第３のガイドスロットの１つの支持表面がそれぞれのＵ字の基部側の脚部上に配置されている。
【００４３】
これには、通過領域において、ケージ状の案内・保持構造体が形成され、この事例では、ケーブルタイが押し込み方向に押し通されるときに、Ｕ形のデザインの支持表面によって三次元で支持されている、という利点がある。これは、各々の事例におけるＬ字の脚部の向きによって画定されている２つの方向のブリッジによって可能となる。このようにして、ケーブルタイを保持するのに必要である場合などのように、通過領域を２回通るように押し通すことが実施される事例では、案内すること、および完全な組み立て状態において保持することの各々が改善される。
【００４４】
別の有利な実施形態では、完全な組み立て状態において、その１つの支持表面をケーブルタイストリップの外側の表面領域に対して当接させる状態となるように、具体的にはポジティブロック当接させる状態となるように、およびそのもう一方の支持表面をケーブルタイストリップの方を向くケーブルタイヘッドの前方側の表面領域に対して当接させる状態となるように、構成されるように第２のガイドスロットを設計することが実現される。したがって、具体的には、第２のガイドスロットが、通過領域の垂直方向におけるケーブルタイの動きを防止するように設計されており、これが、実際的な例示の実施形態では、ケーブルタイの押し込み方向に対応するか、または押し込み方向に対して実質的に垂直であるかのいずれであってもよい。
【００４５】
ここでは、ケーブルタイの外側の表面領域が、具体的には、ケーブルタイヘッドに、ならびに／あるいはケーブルタイヘッドの前方側および／または後方側の一領域に隣接しない。ここの局所的な呼称は、ケーブルタイが非設置状態に、つまり互いの中に挿入されていない状態にあることを意味することに留意されたい。したがって、挿入されて一体になった状態では、非設置状態においてケーブルタイヘッドに隣接しないケーブルタイの表面領域が押し込み動作の結果として上記ケーブルタイヘッドの近傍まで動くことが可能となる。具体的にはケーブルタイヘッドの戻り止めデバイスの近傍で保持装置の支持表面によりケーブルタイを支持することにより、使用されるケーブルタイに対しての設置および融通性における高い正確さが得られる。また、ケーブルタイヘッドの領域でケーブルタイが保持されることの結果として、ケーブルタイヘッドが安定し、それにより戻り止めデバイスの信頼性が向上する。
【００４６】
別の実施形態では、完全な組み立て状態において、その第１のまたは１つの支持表面をケーブルタイヘッドの内側の表面領域に対して当接させる状態となるように、ならびに完全な組み立て状態において、そのもう一方のまたはさらなる別の支持表面をケーブルタイヘッドの外側のおよび／またはケーブルタイヘッドに隣接するケーブルタイストリップの外側の表面領域に対して当接させる状態となるように、構成されるように第３のガイドスロットを設計することが実現される。したがって、具体的には、第３のガイドスロットが、通過領域または通路の深さ方向におけるケーブルタイの動きを制限するように設計されている。深さ方向は、この事例では、通過領域の垂直方向に対して実質的に垂直である。深さ方向は、ケーブルタイヘッドを通してのケーブルタイストリップの挿入中における通路を通る通過方向に対応していてよく、この事例では同時に、例えば最終的な組み立て時に、ケーブルタイストリップが２回目として通路を通るように押されることが含まれる。この事例でも、ケーブルタイヘッドの領域でケーブルタイが保持されることによりケーブルタイヘッドがやはり安定し、それにより戻り止めデバイスの信頼性がさらに向上する。
【００４７】
別の有利な実施形態では、第１のガイドスロットの反対側の支持表面が、特には通路の垂直方向および／または深さ方向において少なくとも局所的に互いのところでくさび状に収束することが実現される。ここでは、上記支持表面が、ケーブルタイヘッドの縁部側においてそれぞれの関連付けられる表面領域に対して少なくとも局所的に当接するよう、具体的にはポジティブロック当接するように配置されるように設計されている。
【００４８】
互いのところで収束するくさび状の支持表面は以下のような利点をもたらす：結束される材料を結束することを目的としてケーブルタイに生じる引張力が、当接を改善するのに、具体的にはポジティブロック当接するのを改善するのにも並行して使用され、それにより、ケーブルタイの、具体的には保持装置内のケーブルタイヘッドの遊びの大きさが最小になる。これにより保持装置上でケーブルタイが一定の形で正確に固定されるようになり、この事例では、具体的には、完全には適さない可能性があるケーブルタイのいくらかの大きさの遊びが、ケーブルタイおよび／または保持装置がわずかに変形することにより補償され得る。
【００４９】
したがって、保持装置は以下のように設計され得る：具体的にはケーブルタイヘッドが少なくとも局所的に、つまり局所的にまたは全体として、完全な組み立て状態のために設けられる端部位置にくるようになるまで、ケーブルタイが通路の垂直方向および深さ方向の両方において通路を通るように押され得る。ここでは、押し込み方向は第２の押し込み動作の方向としてみなされる。
【００５０】
これには高い融通性を有する設置機能を実現するという利点があり、この事例では、通過領域を通るケーブルタイストリップの第１の押し込み動作の押し込み方向が通過領域を通るケーブルタイストリップの第２の押し込み動作の押し込み方向に一致し、この事例では、ケーブルタイストリップが同時にケーブルタイヘッドを通して挿入されるかまたは押される。したがって、構造的空間が制限されるようなおよび保持装置が例えば大きい平らな表面の近くに既に取り付けられているような平らな状況では、ケーブルタイがそのヘッドを例えば上記表面にまたは一般的には別のコンポーネントに近づけた状態で保持され得、それでも問題なくそこで組み立てられ得る。
【００５１】
別の特に有利な実施形態では、保持装置が少なくとも１つの追加の案内要素を有することが実現され、この少なくとも１つの追加の案内要素が具体的には第１のガイドスロットに隣接し、この少なくとも１つの追加の案内要素により、ケーブルタイヘッドを少なくとも局所的につまり局所的にまたは全体として完全な組み立て状態のために設けられる位置に位置させるようになるまでのケーブルタイの押し込み動作が、実質的に単一の方向での押し込み動作へと限定されることになる。追加の案内要素は具体的には第３のガイドスロットの一部分であってよい。これには、組み立てプロセスの初期において、保持装置内のケーブルタイが１つの並進自由度（ｔｒａｎｓｌａｔｉｏｎａｌ  ｄｅｇｒｅｅ  ｏｆ  ｆｒｅｅｄｏｍ）のみを既に有しており、その結果、組み立てプロセスにおいて滑ることなどが実質的に阻止され、それにより取り扱いが非常に単純なものとなる、という利点がある。
【００５２】
別の特に有利は実施形態では、ここでは、保持装置が少なくとも１つの追加の戻り止め要素を有することが実現され得、この少なくとも１つの追加の戻り止め要素により、ケーブルタイヘッドが、完全に組み立てられた状態のために設けられる端部位置において、固定用ヘッド内での戻り止め動作に関与させられ得る。ここでは、戻り止め要素が具体的には第２または第３のガイドスロットの支持表面上に配置されている。これには、ケーブルタイが高い信頼性で予め組み立てられ得、保持装置内での組み立て中に意図されず外部コンポーネント上で摺動して保持装置から外れることがない、という利点がある。また、したがって、ケーブルタイストリップがケーブルタイヘッドの戻り止めデバイスに戻り止め係合されている間、ケーブルタイストリップが保持装置内で滑ることなく、したがって可能性として悪条件下でケーブルタイを締めることまたは押し通すことをより困難なものまたは不可能なものとすることがない。
【００５３】
ｂ）固定システム
本発明はまた、少なくとも１つのケーブルタイと、システムの外部のコンポーネントに対してシステムを固定するための、ケーブルタイから分離する保持装置（具体的には、プラスチックで構成されている）とを有する、具体的にはモジュール式である、固定システムまたはモジュール式固定装置を含む。ケーブルタイが、この事例では、歯付きのケーブルタイストリップと、歯付きのケーブルタイストリップへの戻り止め係合のための戻り止めデバイスを備えるケーブルタイヘッドとを有する。ケーブルタイは具体的には、やはり、後でさらに説明されるケーブルタイのうちの１つのケーブルタイであってよい。この事例では、後でさらに考察される特有の利点が達成される。
【００５４】
ここでは、完全な組み立て状態において、ケーブルタイが、結束される材料を保持するための保持形態であるケーブルタイのセットとして配置されており、ここでは、ケーブルタイによって保持される結束される材料がケーブルタイのみに触れる、ということが重要である。したがって、結束される材料は、保持装置に接触しないようにおよび／または保持装置から離間されるように配置されている。ここでは、ケーブルタイが、破壊されない形で解除可能となるように、つまり例えばツールによって解除可能となるように、保持装置に取り付け可能となり得る。これには、例えば電気ケーブルなどの温度を上げるような結束される材料から保持装置への熱伝達が最小となる、という利点がある。さらに、間隔により、保持装置による結束される材料の機械的荷重が排除され得るかまたは低減され得る。上記の両方により、保持装置のための材料の選択の融通性が向上し、したがって、コスト効率および信頼性にも寄与し得る。
【００５５】
有利な実施形態では、固定システムが、単独の保持装置として、上述のデザインの変形形態のうちの少なくとも１つによる少なくとも１つの保持装置を備える。
【００５６】
本発明はまた、歯付きのケーブルタイストリップと、歯付きのケーブルタイストリップへの戻り止め係合のための戻り止めデバイスを備えるケーブルタイヘッドとをやはり有する少なくとも１つのケーブルタイを有し、さらには上でより深く説明される実施形態のうちの少なくとも１つによる保持装置（具体的には、プラスチックで構成されている）を有する具体的にはモジュール式である固定システムを含む。このモジュール式固定システムが、後で説明される実施形態のうちの１つによるケーブルタイをさらに備えることができる。
【００５７】
ここでは、保持装置の通過領域およびケーブルタイが、各々の事例において、保持装置をケーブルタイに対して当接させるためのそれらの幾何形状に関して互いに対して適合されることが重要である。具体的には、ここでは、各々の事例における保持装置の相補的な内側輪郭およびケーブルタイの外側輪郭が互いに対して適合される。具体的には、ケーブルタイおよび保持装置がさらに、ケーブルタイ上で保持装置に対して積極的に押止するかまたはポジティブロック当接するためのそれらの幾何形状に関して互いに対して適合され得る。これには、ガイドスロットによる案内が特に正確となり、また可能性として保持装置からの結束される材料の間隔が正確に設定され得る、という利点がある。ここでは、システムが、容易で、融通性があり、安価である形で、多数の異なる使用に対して適合され得る。
【００５８】
好適な実施形態では、固定システムが多数の所定の異なるケーブルタイを有し、これらのケーブルタイの各々が、それらの幾何形状に関して、保持装置の通過領域をケーブルタイに当接させること、具体的にはポジティブロック当接させることを目的として通過領域の幾何形状に対して適合される。これにより以下のような利点が得られる：所与の保持装置の事例において、本発明の意図される使用に従う各々の事例において、適切なケーブルタイを選択すること、具体的には、結束される材料の直径に対しての適切な長さを有するか、結束される材料の重量に対しての適切な機械的安定性を有するか、または結束される材料によって加えられる予期される温度負荷に対しての適切な熱的安定性を有するケーブルタイを選択することが可能である。したがって、特定の意図される使用に対して適合されるような通常は比較的高価である特別な部品であるケーブルタイと共に、保持装置の同一の安価なコンポーネントを利用することが可能となる。また、この事例では、保持構成の融通性および信頼性を安価な形で得ることができる。
【００５９】
固定システムの別の特に有利な実施形態では、上記固定システムが多数の所定の異なる保持装置を有し、保持装置の通過領域が各々の事例において、それらの幾何形状に関して、保持装置の通過領域をケーブルタイに当接させること、具体的にはポジティブロック当接させることを目的としてケーブルタイの、具体的にはケーブルタイヘッドの幾何形状に対して適合される。これにより、外部コンポーネントに対して保持装置を固定するための異なる固定用脚部および固定機能を用いる多数の異なる状況において、安価に製造可能である保持装置を交換することにより、特定のケーブルタイに適する結束される材料が問題なく使用され得る、という利点が得られる。また、この事例では、コストを節約することも実現される。したがって、上のパラグラフの実施形態を用いる場合、特に、モジュール式システムが実現され、このモジュール式システムにより、結束される材料を別のコンポーネントに固定するための組み立てを容易にする解決策が、融通性があり安価である形で、達成される。
【００６０】
ｃ）ケーブルタイ
本発明はまた、歯付きのケーブルタイストリップと、歯付きのケーブルタイストリップへの戻り止め係合のための戻り止めデバイスを備えるケーブルタイヘッドとを有するケーブルタイに関連する。この事例では、上記ケーブルタイが具体的にはプラスチックから例えば単一部片で製造され得る。具体的には、ケーブルタイが、例えば外側輪郭に関して、上でより深く説明した保持装置または固定システムに適し得るかまたはそれらのために構成されているか、あるいはそれらに対して幾何学的に適合される。
【００６１】
ここでは、ケーブルタイストリップがケーブルタイヘッドの前方側に隣接し、ここでは、上記ケーブルタイストリップの主延在方向がケーブルタイの長手方向を画定する。
【００６２】
また、ケーブルタイストリップが幅方向に一定の幅を有し、ケーブルタイの垂直方向に一定の厚さを有する。ここでは、ケーブルタイストリップがケーブルタイヘッドを通して挿入されることによりループを形成してケーブルタイヘッドとの戻り止め動作に関与する完全な組み立て状態において、幅が、ループの半径と共に、結束される材料の方を向くケーブルタイストリップの内側の領域のサイズ、および結束される材料の反対側を向くケーブルタイストリップの外側の表面のサイズを決定する。垂直方向におけるケーブルタイストリップの厚さがケーブルタイストリップの安定性およびその融通性を実質的に決定し、ここでは結束される材料の方を向く表面のサイズおよび結束される材料の反対側を向く表面のサイズに影響しない。ここでは、厚さが増すと、歯もより目立つような形態となってよく、その結果さらに、歯の中に係合される例えば戻り止め凸部または戻り止め用の爪の形態の戻り止めデバイスがより大きい力に耐えるようになる。さらに、厚さが、ケーブルタイストリップの縁部側のところに位置する表面領域のサイズも決定し、したがってひいては、縁部側と相互作用するガイドスロットの案内の安定性に対しての影響を決定することができる。
【００６３】
好適な実施形態では、ケーブルタイヘッドから離れてケーブルタイヘッドの外側にあるおよび／またはケーブルタイヘッドの少なくとも一方の縁部側にあるケーブルタイストリップの端部領域内に個別のマーキングを形成することが実現され、ここでは、これらのマーキングを互いに位置合わせするときにケーブルタイにより最大半径を有するループが形成されていることになるように、マーキングが配置されている。ここでは、最大半径は、ケーブルタイストリップがケーブルタイヘッドとの戻り止め動作に依然として関与し得る場合の上限の半径である。したがって、ケーブルタイを組み立てることなくおよび／またはケーブルタイを戻り止め動作に関与させることなく、選択されたケーブルタイが結束される現行の材料に対して適するかどうかが容易に確認され得るようになることが達成される。
【００６４】
ここでは、ケーブルタイストリップが硬質部品を有し、さらに硬質部品に対して柔らかい軟質部品を有する。ケーブルタイストリップの外側および縁部側が、少なくとも局所的に、つまり局所的にまたは全体として、硬質部品によって形成されている。軟質部品が、内側で、ケーブルタイストリップの長さの大部分にわたって、つまりその５０パーセントを超えて、また好適には９０または９５パーセントを超えて、硬質部品に沿ってケーブルタイストリップの長手方向に少なくとも１つのストリップの形態で延在する。ここでは、ストリップが、複数の領域で不連続であってよい。この事例では、ストリップが、例えば、互いに隣接して配置されている軟質部品の一連のポイントまたはストリップから形成され得る。したがって、軟質部品が少なくとも局所的にケーブルタイストリップの内側を形成する。したがって、軟質部品が、ケーブルタイストリップの内側に、結束される材料のための当接表面を形成する。上記当接表面は、この事例では、硬質部品によって形成されている内側の領域に対して高くなっている（垂直方向において）。
【００６５】
軟質部品は、この事例では、シリコーンおよび／または熱可塑性エラストマ（ＴＰＥ：ｔｈｅｒｍｏｐｌａｓｔｉｃ  ｅｌａｓｔｏｍｅｒ）を含むことができる。例えば熱塑性変形（ＴＰＵ：ｔｈｅｒｍｏｐｌａｓｔｉｃ  ｄｅｆｏｒｍａｔｉｏｎ）の軟質部品としてケーブルタイの射出成形プロセスの直後で、あるいは例えば液体シリコーンをケーブルタイに適用するかまたは接着性パッドをケーブルタイに取り付ける形態の別個の接合プロセスの直後で、軟質部品がケーブルタイのための製造方法に適用され得る。
【００６６】
これにより、結束される材料が、振動および衝撃荷重の発生時にケーブルタイの硬質部品に接触することの結果としての摩耗から保護されている、という利点が得られる。これは、ケーブルタイが、結束される材料を、硬質部品から、具体的には内側において硬質部品によって形成されている表面から、離間して保持または固定することによる。したがって、保持装置により、結束される材料が触れない形のつまり非接触の保持構成が実現される。同時に、間隔があることの結果として、結束される材料または束の高い温度から保持構成が保護されることが実現され、その結果、硬質部品のみに接触することになる保持構成が低耐熱性の安価な材料から製造され得るようになる。さらに、軟質部品により、結束される材料がケーブルタイのループに対して軸方向に動くことが防止される。その理由は、軟質部品が硬質部品より高い静止摩擦を示すからである。
【００６７】
さらに、軟質部品が可撓性のケーブルタイに取り付けられることにより、軟質部品自体では、製造に関して非常に単純な手法によりプロフィールまたは構造が形成されるという利点が得られる。製造プロセス中にはケーブルタイストリップがケーブルタイヘッドの中に挿入されないことから、この時点では直線の形態であるため、ケーブルタイストリップの内側が軟質部品を圧断または形成するためのツールにより容易にアクセスされ得るようになる。また、ここでは、ツールが成型構造または成型プロフィール（ｃａｓｔ  ｐｒｏｆｉｌｅ）から問題なく再び取り外され得る。したがって、ケーブルタイまたはその内側は個別の要求条件に対して高い融通性を有するように適合され得る。ケーブルタイのテクノロジで知られている手法では、ここで述べられる利点は、少数のコンポーネントを有する束ねるためのまたは結束される材料の直径の大きい変化量に対して有効であり、その結果、具体的には対応する保持装置または対応する固定システムを用いるケーブルタイの、高い融通性を有し、コストを節約する使用が実現される。
【００６８】
軟質部品のストリップは、長手方向に対して垂直な断面において、つまりケーブルタイの縁部側の方を向く境界領域において、中央領域に対して高くなっていてよく、つまりストリップの垂直の方向において増大する厚さを有することができる。これにより、完全な組み立て状態において、軟質部品のストリップに対して垂直な静止摩擦が増大するという利点が得られ、つまり結束される材料がケーブルタイの中で軸方向に動くのを防止することが改善されるという利点が得られる。したがって、さらに、境界領域の高台部分の間の空気クッションにより断熱を改善することが可能となり、ここではこの空気クッションは中央領域内に形成されている。軟質部品のストリップの境界領域に対して減少する厚さを有する中央領域は、この事例では、例えば溝として設計されていてよい。
【００６９】
ケーブルタイヘッドは、全体としてまたは部分的に、具体的には大部分において、硬質部品によって形成されていてよい。例えばケーブルタイヘッドが金属の凸部を備える戻り止めデバイスを有するかまたは他の形で硬質部品によって構成されている場合、ケーブルタイヘッドは大部分が硬質部品から形成されている。また、ケーブルタイヘッドは、この事例では、内側および／または外側においてあるいは一方または両方の縁部側において、ケーブルタイストリップの方向においてケーブルタイストリップのところでくさび状に収束してよい。これにより、積極的に押止する形でケーブルタイヘッドを受けるように上述の保持装置が特に容易に形成され得るという利点が得られ、それにより保持装置または固定システム内でのケーブルタイの案内を改善することおよびその安定性を向上させることが達成される。ここでは、「互いのところで円錐状に収束する」とは、具体的には平坦な表面が互いのところで収束することを意味するものとして理解されてよい。
【００７０】
有利な一実施形態では、縁部側に隣接するところのケーブルタイストリップの境界領域内において、内側が少なくとも局所的につまり局所的にまたは全体として硬質部品によって形成されることが実現される。この事例では、境界領域が、ケーブルタイストリップの大部分にわたって、つまりその５０パーセント以上で、また好適には９０または９５パーセント以上で、ケーブルタイストリップの長手方向に延在してよい。したがって、この事例では、軟質部品がケーブルタイストリップの内側に高くなっている中央領域を形成し、この高くなっている中央領域が、縁部側の方向において、硬質部品によって形成されている境界領域によって境界を画定されている。したがって、ケーブルタイストリップの長手方向に対して垂直な方向における縁部側から縁部側までのケーブルタイストリップの幅は、軟質部品の少なくとも１つのストリップの幅よりも大きい。したがって、ケーブルタイストリップの長手方向に対して垂直な方向において軟質部品のストリップを越えて突出する硬質部品の領域によりガイドレールが形成されている。
【００７１】
これにより、一つには、より繊細である軟質部品が硬質部品の突出する境界部分によるダメージから機械的に保護されるという利点、またさらには、保持装置と結束される材料との間に境界部分が位置する場合において、硬質部品の突出する境界領域が、別のコンポーネント上でケーブルタイを保持するためのケーブルタイの付随の保持装置の防熱手段をさらに形成するという利点が得られる。これは例えば、保持装置に関連する上述の実施形態に当てはまる。特に重要なことは、境界部分、つまりガイドレールが、保持装置により、また例えば、上述するように対応するガイドスロットを備えるような、保持装置のアームの周りに局所的に係合される硬質部品によって形成されている境界領域により、ケーブルタイを案内および保持するのに利用され得る、ことである。具体的には、ここでは、案内および保持の正確さが向上するため、硬質部品によって形成されている領域上でケーブルタイを案内および保持することが有利である。
【００７２】
ここでは、ケーブルタイストリップの境界領域に隣接するストリップのそれぞれの縁部領域（ｌｉｍｉｔ  ｒｅｇｉｏｎ）内におけるストリップに加えて、軟質部品が各々事例において１つの翼部分を形成することが実現され、この翼部分が、ケーブルタイストリップの幅方向の断面において、ケーブルタイストリップから離れる方向におよび／または軟質部品のストリップから離れる幅方向に、軟質部品のストリップから始まってケーブルタイストリップの対応する境界領域から離間するように延在する。
【００７３】
これには、提案される保持装置のうちの１つと共に使用されるケーブルタイの事例において、結束される材料と保持装置との間の接触、およびそれに対応する結束される材料の摩耗がより効率的に防止される、という利点がある。
【００７４】
別の実施形態では、硬質部品が境界領域の間に中央部分を有することが実現され、この中央部分が境界領域に対して垂直方向に高くなっており、軟質部品がこの中央部分の上に配置されている。これには、保持装置と結束される材料との間の間隔が具体的には中央部分の垂直方向の厚さの分だけ増大し、したがって軟質部品がこの目的のためにより厚くなるように設計されている必要がない、という利点がある。これはケーブルタイの安定性にとって有利である。
【００７５】
別法としてまたは加えて、ケーブルタイストリップが、ケーブルタイストリップに沿って延びるアパーチャまたは溝を外側に有することが実現され得る。アパーチャは、この事例では、軟質部品と同様にケーブルタイストリップの大部分にわたって延びていてよいが、好適にはケーブルタイストリップの全体にわたって延びていてよい。これには、それでも、上のパラグラフで考察される利点と共に、材料を節約しながらケーブルタイストリップの厚さを増大することが達成される、という利点がある。さらに、押し込み動作中にアパーチャの中に係合されるような、対応する保持装置の第２のガイドスロットの第１の支持表面内の対応する突出部により、ケーブルタイおよびひいては結束される材料が荷重下であっても意図される位置で高い信頼性で保持される。
【００７６】
別法としてまたは加えて、ケーブルタイストリップの境界領域の各々が、ケーブルタイストリップに沿って延びる凹部を有することが実現され得る。したがって、凹部はケーブルタイストリップの内側で延びている。これにより、凹部の中に係合される、第２のガイドスロットの第２の案内表面内にある対応するラグにより、ケーブルタイストリップの荷重由来の変形の発生時にケーブルタイストリップが幅方向に滑ることが妨げられ得、つまり防止され得る。これは、具体的には上のパラグラフで言及されるアパーチャとの組み合わせで、具体的には保持装置内の対応する突出部と共に、ケーブルタイおよび結束される材料を特に高い信頼性で案内および保持するという働きをする。
【００７７】
別の実施形態では、関連付けられる縁部側の方を向く境界領域内でケーブルタイストリップの厚さを減少させることが実現される。具体的には、厚さは少なくとも局所的に線形的に減少し、その結果、ケーブルタイストリップの内側が、幅方向の断面において、境界領域内においてケーブルタイストリップの外側に対して少なくとも局所的に傾斜することになる。ここでは、境界領域において内側が１５度で、または所定の許容誤差を有して約１５度で傾斜することが好ましい。許容誤差は、例えば、２度、５度、１０度、または１５度であってよい。これには、硬質部品と結束される材料との間の間隔が境界領域内において増大するという利点がある。さらに、内側のこの傾斜プロフィールにより、ケーブルタイストリップの安定性も向上する。最後に、それに対応して、この手法では、第２のガイドスロットの第２の支持表面を、第２のガイドスロットの第１の支持表面に対して傾斜させるように、また例えば言及したように１５度だけ傾斜させるように、設計することが可能となる。これにより保持装置内の曲げ荷重が低減され、さらには保持装置と結束される材料との間の間隔を増大することが可能となる。
【００７８】
代替的実施形態では、本発明が、上述した高くなっている中央領域を備えるケーブルタイをさらに包含することができ、この事例では、高くなっている中央部分が軟質部品ではなく硬質部品から形成されている。この事例では、硬質部品で構成されている一部片デザインのケーブルタイが有利である。ここでは、例えばケーブルタイおよびケーブルタイに付随する保持装置にかかる熱負荷が比較的小さいことが予期される場合に好都合であるようなコスト面での利点が得られる。したがって、軟質部品に関してここでおよび後で説明される利点および有利な実施形態は、幾何学的形態およびコンポーネントが軟質部品によって実現されるのではなく幾何学的形態およびコンポーネントが硬質部品によって実現される実施形態にも適用され得る。
【００７９】
したがって、ケーブルタイヘッドの比較的近くに位置するケーブルタイストリップの第１の端部領域において、軟質部品の厚さが、ケーブルタイヘッドの方を向くケーブルタイストリップの端部に向かってつまりケーブルタイヘッドに向かって傾斜するように増大することが実現される。ここでは、この傾斜部分の領域の軟質部品の厚さが１．５倍から３．５倍の間でまたは好適には２．５倍で増大してよい。これには、一つには、完全な組み立て状態において通常はケーブルタイヘッドの近傍に生じる曲げ荷重が、結束される材料に対して押圧されているケーブルタイヘッドにより少なくとも部分的に補償され得る、という利点がある。しかし、具体的には、上記傾斜部分により、ケーブルタイヘッドの領域内の結合剤と保持装置との間隔を保証することが可能である。したがって、例えば、上で深く言及した保持装置を、全体としてあるいは１つまたは複数の側の領域において、ケーブルタイヘッドの周りに堅固に係合させることが可能であり、また、保持装置に例えば高温である結束される材料に接近する危険性を有させることなく、対応するガイドスロットにより正確な案内を保証することが可能である。さらに、ケーブルタイヘッドの方を向く傾斜部分の端部が、保持装置のための当接表面としても設計され得、例えば保持装置のブリッジとの戻り止め表面としても設計され得る。この場合、この目的のために、具体的には、傾斜部分の当接表面とケーブルタイヘッドの前方側またはケーブルタイストリップのためのケーブルタイヘッド内の案内表面との間の間隔をブリッジの幾何学的寸法に対して適合させることが必要となる。
【００８０】
したがって、ここでは、具体的には、増大した厚さを有する傾斜部分の端部領域の軟質部品がケーブルタイストリップの内側にリップを有することが実現され得、このリップが硬質部品から離間されており、つまり非ゼロの間隔を有し、厚さの増大した端部領域からつまり傾斜部分からケーブルタイヘッドの方向に延在する。この事例では、リップは好適にはケーブルタイストリップから離れる方向に延在してもよい。したがって、リップは具体的にはケーブルタイヘッドの方向における傾斜部分の延長部分として理解されてよく、これは好適にはケーブルタイヘッドの方に向かうにつれてつまりケーブルタイヘッドの後方側に向かうにつれてケーブルタイストリップから漸進的にさらに離れるように移行していく。したがって、軟質部品は、具体的には第１の端部領域において、正方向に離型された幾何形状（ｐｏｓｉｔｉｖｅｌｙ  ｄｅｍｏｌｄｅｄ  ｇｅｏｍｅｔｒｙ）を有する。
【００８１】
リップは、ケーブルタイストリップの長手方向において片持ち式である翼部分と称されてもよい。具体的には、リップは、ケーブルタイヘッドに近い方のケーブルタイの端部の内側に、またはケーブルタイヘッドに垂直に付けられる突出部内で、ケーブルタイヘッドの案内表面に接近するかまたは上記案内表面のところまで延在する。ここでは、案内表面がケーブルタイヘッド内でケーブルタイストリップの内側を案内するように機能する。リップが案内表面のところまで延在する場合、リップが、ケーブルタイヘッドを通るように押されるケーブルタイストリップの内側に触れることができるか、または結束される材料を少なくとも結束したときに上記内側に触れることができる。
【００８２】
これには、傾斜部分とケーブルタイヘッド内の戻りデバイスの内側との間の間隔が低減され、ひいてはケーブルタイヘッドがケーブルタイストリップに戻り止め係合されているときのケーブルタイヘッドの領域内の軟質部品の異なる領域の間の隙間がその大きさを低減される、という利点がある。したがって、結束される材料が保持デバイスに接触することになる危険性も軽減される。提案される保持装置のうちの１つの保持装置を用いずに、つまりリップを有さない傾斜部分との関連でケーブルタイが使用される場合、結束される対応する材料を用いてより円に近い（ｒｏｕｎｄｅｒ）ループを得ることが可能であり、これがケーブルタイの使用の融通性を向上させる。
【００８３】
別の好適な実施形態では、ケーブルタイヘッドからさらに離れるケーブルタイストリップの第２の端部領域において、ケーブルタイヘッドの反対側を向くケーブルタイストリップの端部に向かって、軟質部品が隆起部を有することが実現される。この隆起部は、ケーブルタイヘッドの反対側を向く端部の方向において最初に増大してその後で０まで減少するつまり漸進的に減少するような、第２の端部領域内の軟質部品の厚さによって形成されている。したがって、ここでは、軟性部品が傾斜する隆起部を備える。傾斜する隆起部の領域におけるケーブルタイストリップの全体の厚さは、ケーブルタイヘッド内でのケーブルタイストリップの挿入および戻り止め係合のための開口部の開口サイズを超えていてよい。このことは、ケーブルタイヘッドの中へのまたはそこを通してのケーブルタイストリップの挿入中に第２の端部領域においてケーブルタイストリップが変形することができるため、問題とはならない。加えて、ケーブルタイストリップが第２の端部領域内に歯を有さないことから、ケーブルタイストリップの第２の端部領域をケーブルタイヘッドの中に挿入することで、ケーブルタイヘッドがケーブルタイストリップに戻り止め係合されることがない。
【００８４】
これには、歯付きのケーブルタイストリップをケーブルタイヘッドの戻り止めデバイスとの戻り止め動作（これはしばしば、困難さを伴ってしか解除され得ないかまたはツールを使用してしか解除され得ない）に関与させることなく、ケーブルタイが最初に第２の端部領域のところでケーブルタイヘッドの中へとまたはそこを通るように挿入され得る、という利点がある。しかし、これに加えて、軟質部品により、または軟質部品によって形成されている傾斜する隆起部により、ケーブルタイヘッドを通るように隆起部が挿入された後でケーブルタイストリップが意図されずにケーブルタイヘッドからひとりでに再び解除されることがないことが保証される。しかし、それにもかかわらず、このようにして予め組み立てられるケーブルタイはツールを用いずに再び解除され得、それにより組み立てプロセスの融通性が向上する。
【００８５】
別の実施形態では、第２の端部領域内の外側で、具体的には対応する端部に隣接するところで、硬質部品が高くなっている摺動用突出部を有することが実現される。上記摺動用突出部が好適には中央に配置されている。具体的には、摺動用突出部が球状セグメント形状の形態である。摺動用突出部は保持装置を通るようにケーブルタイを押すのをより容易にし、また特には保持装置の第２のガイドスロットが弓形の第１の支持表面を有する事例において有利である。その理由は、摺動用突出部により、ケーブルタイが第２のガイドスロットの中で引っ掛かることが防止されるからである。
【００８６】
別の有利な実施形態では、ケーブルタイストリップ内の第２の端部領域と歯との間におよび／または端部領域と軟質部品とに間に戻り止めばね要素を設けることが実現される。これには、歯付きのケーブルタイストリップをケーブルタイヘッドの戻り止めデバイスとの戻り止め動作（これはしばしば、困難さを伴ってしか解除され得ないかまたはツールを使用してしか解除され得ない）に関与させることなく、ケーブルタイが最初に第２の端部領域のところでケーブルタイヘッドの中へとまたはそこを通るように挿入され得る、という利点がある。これに加えて、戻り止めばね要素により、ケーブルタイヘッドを通るように隆起部が挿入された後でケーブルタイストリップが意図されずにケーブルタイヘッドからひとりでに再び解除されることがないことが保証される。しかし、それにもかかわらず、このようにして予め組み立てられるケーブルタイはツールを用いずに再び解除され得、それにより組み立てプロセスの融通性が向上する。この事例では、上述の傾斜する隆起部が、ケーブルタイストリップがケーブルタイヘッドを通るように意図されずにさらに押されるのを、およびケーブルタイヘッド内の歯との戻り止め動作に関与するのを防止することができる。
【００８７】
別の有利な実施形態では、内側で軟質部品が溝を有することが実現され、この溝が軟質部品のストリップの大部分にわたって軟質部品のストリップに沿って延在する。ここでは、ケーブルタイヘッドが、ケーブルタイヘッドを通るようにケーブルタイストリップを押すための開口部内において、その開口部の内側に、突出部を有し、開口部を通るようにケーブルタイストリップが押されるときにこの突出部が溝の中へと突出する。これには、ケーブルタイヘッドの安定性が向上し、またケーブルタイヘッドによるケーブルタイストリップの案内を改善することが実現される、という利点がある。ここで特に有利であるのは、上のパラグラフで説明される軟質部品の傾斜する隆起部と組み合わされることであり、傾斜する隆起部は、例えば、溝の端部のところに配置され得、したがってこの事例では、突出部が上のパラグラフで述べた利点を達成するために傾斜する隆起部と相互作用する。
【００８８】
また、突出部は溝とは無関係に提供されてもよい。溝が存在する場合および溝が存在しない場合のいずれでも、突出部は上記のような程度で突出するように設計されていてよく、それに対応してケーブルタイストリップが以下のように設計されている：ケーブルタイストリップがケーブルタイヘッドを通るように押されたときに硬質部品と突出部との間の間隔が軟質部品の厚さより小さくなり、つまり軟質部品が突出部によって変形させられる。硬質部品に対して突出部が相対的に接近していることにより、ケーブルタイストリップの支持が改善されることで引張荷重の作用下でのケーブルタイストリップの変形が低減され、したがってケーブルタイの信頼性が向上する。軟質部品により、この変形は従来のケーブルタイの場合よりも顕著なものとなる。
【００８９】
別の実施形態では、戻り止め凸部をケーブルタイストリップの歯の中に係合させるための戻り止め用縁部を幅方向において湾曲させることが実現される。したがって、ケーブルタイストリップの荷重由来の変形の発生時に戻り止め用縁部の全幅にわたって戻り止め凸部が歯に係合された状態を維持することが達成される。これによりケーブルタイの信頼性が向上し、このことは、特に、軟質部品があることで荷重下の変形を制御することがより困難となるため、重要なことである。
【００９０】
別の実施形態では、ケーブルタイヘッドに対してケーブルタイストリップが戻り止め係合されるときに歯に接触しない戻り止め凸部の領域よりも戻り止め用縁部のところで戻り止め凸部がより幅広となることが実現される。これには、ケーブルタイストリップに荷重が加えられてケーブルタイストリップが変形する場合に、この時点では弓形のケーブルタイストリップの境界領域が戻り止め係合から外すように戻り止め凸部を押すことがなくなる、という効果がある。というのは、戻り止め用縁部の境界領域が歪むことができるからである。また、こうすることより、ケーブルタイの信頼性が向上する。
【００９１】
別の特に有利な実施形態では、軟質部品が内側で、ケーブルタイストリップの大部分にわたって硬質部品に沿って、ケーブルタイストリップの長手方向である主延在方向に少なくとも２つのストリップの形態で延在することが実現される。ここでは、特には、ケーブルタイヘッドの戻り止めデバイスのための歯を硬質部品によりストリップの間に形成することが可能である。この事例では、内側に歯を付けられるケーブルタイストリップが形成されており、この内側に歯を付けられるケーブルタイストリップが歯の側部までの軟質部品のストリップを有する。別法として、ここでは、または他の述べられる実施形態において、硬質部品によって形成されているケーブルタイストリップの外側にも歯を形成することが可能である。この事例では、外側に歯を付けられるケーブルタイストリップが形成されている。
【００９２】
ここでは、ストリップの間の空気クッションにより追加的に断熱が実現されるという利点が得られる。したがって、さらには、歯がごみから特に良好に保護されることになり、その結果、ケーブルタイヘッドとケーブルタイストリップとの間の戻り止め接続の耐荷重能力の低下が悪条件下においても阻止される。したがって、外側でもケーブルタイがごみによって汚染されることが減り、つまり清潔にすることが容易になる。また、軟質部品の少なくとも２つのストリップを使用することにより、完全に組み立てられた状態での軸方向の静止摩擦を増大させることが可能である。
【００９３】
別の特に有利な実施形態では、軟質部品、または軟質部品のストリップが、内側にプロフィールまたは構造を有することが実現される。上記構造または上記プロフィールは、この事例では、その深さが軟質部品の厚さの３３パーセントから６６パーセントの間、また好適には４５パーセントから５５パーセントの間である構造またはプロフィールを有することができる。これには、結束される材料の静止摩擦と、振動および衝撃荷重の発生時に固体材料に接触することの結果としての摩耗からの、結束される材料の保護とが改善され得る、という利点がある。
【００９４】
ここでは、具体的には、プロフィールが、ケーブルタイストリップの長手方向に沿って交互の形で配置されている、少なくとも１列の、また好適には具体的には平行の２列の三角形を有することが実現され得る。ここでは、三角形が具体的には等しくてよい。三角形の頂点が、この事例では、ケーブルタイまたはケーブルタイストリップの長手方向に対して好適には垂直に方向付けられる。具体的には、プロフィールのこの提示される実施形態は、ここでは、結束される材料の軸方向の動きを制限することにおいて特に有利であり、好都合であることが試験により分かっている。また、提示される構造は製造することに関しては凸形表面上で実現することが困難であることから、ここではケーブルタイに取り付けられることが特に有利である。
【００９５】
別の有利な実施形態では、硬質部品が、内側で、軟質部品によって覆われる表面領域において、軟質部品上に積極的に押止するような形でまたは非積極的に押止するような形で配置されている少なくとも１つの結合要素、しかし好適には多数の結合要素を有することが実現される。ここでは、硬質部品および軟質部品が、具体的には、切込み部分により、また好適には硬質部品により軟質部品が封入されることにより、形成され得る。これには、硬質部品および軟質部品が互いに特に密に接続される、さらには硬質部品において固定されて一定であることを維持し、したがって例えば最終的な組み立て時などの可撓性のケーブルタイの変形時であっても、結束される材料を高い信頼性および融通性を有する形で所定の位置で保持する、という利点がある。この変形時とは、ケーブルタイストリップがケーブルタイヘッドを通るように挿入されてその中での戻り止め動作に関与するときである。
【００９６】
ここでは、結合要素が、具体的には切込み部分を備えるポケットである、ポケット、および／または具体的にはマッシュルーム形状のペグである、ペグを備えることができる。別法としてまたは加えて、結合要素が、ケーブルタイストリップの長手方向に平行に延びる溝および／または高くなっているレールを備えることができる。この場合、例えば硬質部品により軟質部品が封入されていることによりまたは硬質部品に対して軟質部品が接着剤により結合されていることにより、硬質部品と軟質部品との間で高い信頼性の接続を実現することが可能である。この事例では溝およびレールにより長手方向において軟質部品が硬質部品に対して一定程度の遊びを有することが可能となることから、このケーブルタイの最終的な組み立てが特に自由に動ける形で実施され得る。
【００９７】
ｄ）組み立て方法
本発明はまた、保持装置およびケーブルタイにより結束される材料を別のコンポーネントに固定するための組み立て方法に関連する。
【００９８】
ここでは、保持装置が、少なくとも部分的に、つまり部分的にまたは全体として、また好適には大部分において、プラスチックから製造され、保持装置を別のコンポーネントに固定するための固定用脚部と、固定用脚部内に配置されている固定用ヘッドとを有し、固定用ヘッドが、保持装置を通るようにケーブルタイストリップを押す通すためのおよび保持装置上でケーブルタイを保持するための通過領域を有する。ここでは、保持装置の全体がプラスチックから形成され得るか、または少なくとも固定用ヘッドの全体がプラスチックから製造され得る。ケーブルタイが、歯付きのケーブルタイストリップと、ケーブルタイヘッドを通るようにケーブルタイストリップが押されるときに歯付きのケーブルタイストリップへの戻り止め係合のための戻り止めデバイスを備えるケーブルタイヘッドとを有する。
【００９９】
ここでは、この方法が以下のステップを含む：保持装置を別のコンポーネントに固定すること。まず保持装置の通過領域を通るようにケーブルタイストリップを押し込むこと。結束される材料をケーブルタイおよびひいては保持装置に固定することであって、ケーブルタイヘッドを通してケーブルタイストリップを挿入する形で、結束される材料の周りにケーブルタイのループを形成することを含む、こと。ここでは、結束される材料が、具体的には間隔を有する形でつまり非接触の形で、保持装置上でケーブルタイのみによって保持される。これは、反対に方向付けられる各々の事例の少なくとも一対の支持表面を備える異なる形で方向付けられる少なくとも２つのガイドスロットにより、保持装置の通過領域内で正確な外形を有する形でケーブルタイが受けられることにより、実現され、ここでは、少なくとも１つの第１の対の支持表面を備える第１のガイドスロットにより、ケーブルタイがケーブルタイヘッドのおよび／またはケーブルタイストリップの縁部側で表面領域に当接する状態で保持され、ケーブルタイヘッドおよび／またはケーブルタイストリップが各々の事例においてガイドスロットの支持表面の各対の間に少なくとも部分的に配置されている。具体的には、ここでは、内側の内側に位置する境界領域に対して高くなっている例えば中央部分内において、ケーブルタイの内側のみが結束される材料に接触する。具体的には、ケーブルタイが、少なくとも１つの第２の対の支持表面を備える第２のガイドスロットにより、ケーブルタイストリップの内側に位置する境界領域のところで表面領域に当接する形で、保持装置の通過領域内で保持され得る。ここでは、内側に位置する中央領域により境界領域が分離されており、ここでは、ケーブルタイが保持装置に当接して保持されない。
【０１００】
有利な一実施形態では、結束される材料の周りにケーブルタイのループを結束することが、２回目として、保持装置の通過領域を通るようにケーブルタイストリップを押し込むことを含むことが実現される。
【０１０１】
保持装置、固定システム、およびケーブルタイのために言及される利点および有利な実施形態は、ここでは、対応する形で、組み立て方法にも適用される。
【０１０２】
本明細書において上で言及される特徴および特徴の組み合わせ、ならびに図の説明において後で言及されるおよび／または図のみに示される特徴および特徴の組み合わせは、それぞれの指定される組み合わせのみではなく、本発明の範囲から逸脱することなく他の組み合わせでも使用され得る。したがって、本発明は、図中で明確に示されたり考察されたりしないが個別の特徴の組み合わせにより考察される実施形態から明らかとなってそこから作られ得るような実施形態も包含および開示するものとみなされる。したがって、当初記載された独立請求項の特徴をすべて有するわけではない実施形態および特徴の組み合わせも開示されるものとみなされる。さらに、具体的には上で提示される実施形態により、特許請求の範囲の後方参照で実現される特徴の組み合わせの範囲を越えるかまたはそこから逸脱する実施形態および特徴の組み合わせも開示されるものとみなされる。
【０１０３】
ポジティブロック当接するということの定義に関しては、少なくとも２つの接続されているパートナーを互いに対して係合させることの結果として積極的に押止する形での接続がなされるものとする。したがって、接続されているパートナーは、力の伝達がない場合でもまたは力の伝達が中断される場合でも互いから解除され得ない。言い換えると、積極的に押止する形での接続の事例では、接続されている一方のパートナーがもう一方のパートナーを塞ぐことになる。操作上の荷重が存在する場合、接続されているパートナーの表面に垂直に、つまりそれらに対して直角に、圧力が作用する。このような「閉塞」が少なくとも１つの方向で起こる。第２の一様な表面の対が反対側に配置される場合、反対方向も閉塞される。この対が例えば互いに同軸である２つの円筒表面で構成されている場合、円筒軸に対して垂直な面の全方向において接触的な押止がなされることになる。
【０１０４】
概略図に基づいて本発明の例示の実施形態を以下でさらに詳細に考察する。
【図面の簡単な説明】
【０１０５】
【図１】保持装置の第１の例示の実施形態を示す斜視図である。
【図２】保持装置を通るように押されているケーブルタイの例示の実施形態としての、図１の実施形態を示す別の斜視図である。
【図３】結束される材料を有さない完全に組み立てられた状態のケーブルタイの例示の実施形態での、図１の保持装置を示す図である。
【図４】保持装置の例示の別の実施形態を示す斜視図である。
【図５】保持装置を通るように押されているケーブルタイの例示の実施形態としての、図４の実施形態を示す別の斜視図である。
【図６】結束される材料を有さない完全に組み立てられた状態のケーブルタイの例示の実施形態での、図４の保持装置を示す図である。
【図７】ケーブルタイのケーブルタイヘッドが端部位置に到達する程度で保持装置を通るように押されたケーブルタイの例示の実施形態での、第３の例示の保持装置を示す斜視図である。
【図８】図７に示される図を示す別の斜視図である。
【図９】完全に組み立てられた状態の図７の保持装置およびケーブルタイを示す図である。
【図１０】図１０ａはケーブルタイの例示の実施形態を示す下面図である。
【０１０６】
図１０ｂはケーブルタイの例示の実施形態を示す断面図である。
【０１０７】
図１０ｃはケーブルタイの例示の実施形態を示す側面図である。
【０１０８】
図１０ｄはケーブルタイの例示の実施形態を示す上面図である。
【０１０９】
図１０ｅはケーブルタイの例示の実施形態を示す断面図である。
【図１１】ケーブルタイストリップを備えるケーブルタイヘッドの例示の実施形態を示す斜視図である。
【図１２】例示の保持装置上の完全に組み立てられた状態の例示のケーブルタイを示す側面図である。
【図１３】硬質部品および軟質部品を備えるケーブルタイストリップの例示の実施形態の内側表面を示す詳細斜視図である。
【図１４】結束される材料を有する完全な組み立てられた状態のケーブルタイの例示の実施形態での、保持装置を示す概略図である。
【図１５】図４の保持装置の例示の変形形態を示す斜視図である。
【図１６】保持装置の別の例示の実施形態を示す斜視図である。
【図１７】例示のケーブルタイが閉じられてループを形成している状態の、図１６の保持装置を示す側面図である。
【図１８】閉じられていない例示のケーブルタイが保持装置の中に押し込まれている状態の、図１６の保持装置を示す斜視図である。
【図１９】図１９ａはケーブルタイの別の例示の実施形態を示す下面図である。
【０１１０】
図１９ｂはケーブルタイの別の例示の実施形態を示す断面図である。
【０１１１】
図１９ｃはケーブルタイの別の例示の実施形態を示す側面図である。
【０１１２】
図１９ｄはケーブルタイの別の例示の実施形態を示す上面図である。
【０１１３】
図１９ｅはケーブルタイの別の例示の実施形態を示す断面図である。
【図２０】図２０ａはそれぞれの例示の保持装置と共に、境界領域内で傾斜する内側を有するケーブルタイの例示の実施形態を示す断面図である。
【０１１４】
図２０ｂはそれぞれの例示の保持装置と共に、境界領域内で傾斜する内側を有するケーブルタイの例示の実施形態を示す断面図である。
【図２１】図２１ａはケーブルタイおよび保持装置の例示の実施形態を示す別の断面図である。
【０１１５】
図２１ｂはケーブルタイおよび保持装置の例示の実施形態を示す別の断面図である。
【０１１６】
図２１ｃはケーブルタイおよび保持装置の例示の実施形態を示す別の断面図である。
【図２２】ケーブルタイの別の実施形態を示す斜視図である。
【図２３】ケーブルタイストリップがケーブルタイヘッドの中に挿入された状態の、図２２のケーブルタイを示す斜視図である。
【発明を実施するための形態】
【０１１７】
これらの図では、等しいまたは機能的に等しい要素は同一の参照符号によって示される。
【０１１８】
図１が保持装置の第１の例示の実施形態を示す。この事例では、示される保持装置１が固定用脚部２および固定用ヘッド３を装備し、固定用脚部２および固定用ヘッド３が垂直方向であるｙ方向において一方がもう一方の上にくるように配置されている。ここでは、固定用脚部２が、保持装置１を通るようにケーブルタイ１３（図２）のケーブルタイストリップ１７（図２）を押すためのおよび保持装置１上でケーブルタイ１３を保持するための通過領域４を有する。ここでは、通過領域４が、正確な外形を有する形でケーブルタイを受けるために、反対に方向付けられる各々の事例の少なくとも一対の支持表面５ａ、５ｂおよび６ａ、６ｂ、６ｂ’をそれぞれの備える異なる形で方向付けられる少なくとも２つのガイドスロット５、６を有する。支持表面の対の各々が、平行に配置されている支持表面５ａ、５ｂおよび６ａ、６ｂ、６ｂ’を有することができる。
【０１１９】
示される実施例では、固定用ヘッド３が通過領域４内にある２つのアーム７および８をさらに有する。上記アームの各々が、固定用脚部２の方を向く脚部領域７ａ、８ａと、固定用脚部２の反対側を向く端部領域７ｃ、８ｃと、脚部領域７ａ、８ａと端部領域７ｃ、８ｃとの間に位置するそれぞれの中央領域７ｂ、８ｂとを有する。この実施例では、それぞれの中央領域７ｂ、８ｂが、互いの方を向く、第１のガイドスロット５の内側に位置する支持表面５ａ、５ｂを有する。
【０１２０】
示される実施例では、２つのアーム７、８の脚部領域７ａ、８ａが第２のガイドスロット６の第１の支持表面６ａを形成するかまたは提供することになる。したがって、第２のガイドスロット６の第１の支持表面６ａが、少なくとも局所的に、２つの脚部領域７ａ、８ａを備える。示される実施例では、第１の支持表面６ａが平らであり、ｘ−ｚ平面に延在し、この事例では垂直方向またはｙ方向に対して垂直である。したがって、第１の支持表面６ａの法線ベクトルが正のｙ方向を指す。示される実施例では、それぞれのさらなる別の支持表面６ｂ、６ｂ’が２つのアーム７、８の端部領域８ｃ、７ｃ内に配置されているか、またはアーム７、８によって形成されている。この事例では、これらが負のｙ方向を指す法線ベクトルを有する。それに対応して、支持表面６ａおよび６ｂ、６ｂ’が反対に方向付けられ、この事例では、やはり互いに反対側に配置されている。これらの間に、ケーブルタイ１３を受けるための自由空間が設けられ、その結果、例えば、完全に組み立てられた状態において、ケーブルタイストリップ１７の一領域がそれぞれの支持表面６ａおよび６ｂ、６ｂ’の間に配置されることになる。
【０１２１】
示される実施例では、さらなる別の支持表面６ｂ、６ｂ’がｘ−ｙ平面において第２のガイドスロット６の第１の支持表面６ａの方へと傾斜し、それにより正のｘ方向において漸進的に縮小する円錐または漏斗形状を形成する。これには、ここでは押し込み方向Ｄ（図２）と称され得るｘ方向においてケーブルタイ１３が通過領域４を通るように押されるときにケーブルタイ１３が正確な外形を有する形でガイドスロットの方へと案内され得る、という効果がある。ここでは、第１の支持表面６ａが、完全な組み立て状態において結束される材料３９（図１４）の反対側を向くケーブルタイ１３の外側２１（図３）に接触する形で、通過領域４を通るように押されるケーブルタイ１３に当接するようにまたはケーブルタイ１３を案内するように設計されており、また、さらなる別の支持表面６ｂ、６ｂ’が、完全な組み立て状態において結束される材料３９の方を向くように方向付けられるケーブルタイ１３のそれぞれの境界領域１２、１２’（図２）に当接するように設計されている。上記境界領域１２、１２’は、この事例では、各々の事例のケーブルタイ１３の１つの縁部側２３、２３’（図３）に隣接し、ケーブルタイ１３の内側２２（図３）上で中間領域または中央領域によって互いから分離される。したがって、第１の支持表面６ａと１つのさらなる別の支持表面６ｂと間の間隔ｄ２または第１の支持表面６ａともう一方のさらなる別の支持表面６ｂ’との間の間隔ｄ２’が、この事例では境界領域１２、１２’内にあるケーブルタイ１３の厚さｄＫＢ（図１０）に対して適合されており、それにより具体的には積極的に押止する形で上記ケーブルタイを案内する。境界領域１２、１２’内のケーブルタイ１３の厚さｄＫＢはこの事例では完全な組み立て状態において軸方向で測定される。
【０１２２】
示される実施例では、第１のガイドスロットの第１の支持表面５ａが正のｚ方向を指す法線ベクトルを有し、第２の支持表面５ｂが負のｚ方向を指す法線ベクトルを有し；したがって、上記支持表面が異なる形で方向付けられ、この事例では反対に方向付けられる。ここでは、２つの支持表面５ａ、５ｂが各々に事例においてｙ−ｘ平面内を平行に延び、（既に可能ではあるが）容易に挿入され得るようにするために、互いに対してわずかに傾斜しており、つまり例えば５度未満、１０度未満、または１５度未満の大きさで傾斜する。通過領域４が２つの支持表面５ａ、５ｂの間を延在するため、つまり上記支持表面が空の空間または自由空間によって分離されているため、完全な組み立て状態ではケーブルタイ１３が２つの支持表面５ａ、５ｂの間に配置されている。この事例では、２つの支持表面がやはり互いに反対側に位置する。ここでは、２つの支持表面５ａ、５ｂの互いに対しての間隔ｄ１、具体的には２つの支持表面５ａ、５ｂの互いに対しての最小の間隔ｄ１が、保持装置１によって保持されることになるケーブルタイ１３の幅ｂＫＢ、ｂＫＢ’（図１０）に対して適合されており、これは具体的には、ケーブルタイ１３の縁部側２３、２３’接触させる形で２つの支持表面５ａ、５ｂに対してポジティブロック当接することを目的とする。
【０１２３】
この事例では、さらに、２つのガイドスロット５、６が互い対して開いており、それぞれの支持表面５ａ、５ｂ、６ａ、６ｂ、６ｂ’が互いの方へと移行している。したがって、それぞれの支持表面５ａ、５ｂ、６ａ、６ｂ、６ｂ’に対して垂直な断面において、上記支持表面が局所的に変形する開いているリングを形成し、このリングが２つ並進軸でケーブルタイ１３を案内し、したがって残りの１つの並進方向への並進的な動きを制限する。
【０１２４】
この事例のガイドスロット５、６は、示される実施例では、互いに対いて約９０度傾斜しており、ここでは、ガイドスロット５、６の向きが、ガイドスロット５、６に付随する支持表面５ａ、５ｂ、６ａ、６ｂ、６ｂ’の平均の向きによって画定されている。平均の向きは、例えば、ガイドスロット５、６に付随する支持表面５ａ、５ｂ、６ａ、６ｂ、６ｂ’のそれぞれの法線ベクトルを減算することによって決定され得る。
【０１２５】
示される実施例では、２つのアーム７、８がそれらの端部領域７ｃ、８ｃにおいてブリッジ９によって接続されている。このようにして、孔状の通路が通過領域４内に形成されており、この通路が支持表面５ａ、５ｂ、６ａ、６ｂ、６ｂ’およびブリッジ９によって境界を画定されている。ここでは、例えば、ｙ方向の通過領域の高さｈＤをブリッジ９により高さｈＤに制限することが可能となる。この事例では、高さｈＤがケーブルタイストリップの最大高さにつまり垂直方向におけるケーブルタイストリップ１７の最大厚さｄＤより小さくてよいおよび／またはそれに等しくてよい。この事例では、垂直方向がｙ方向である。
【０１２６】
示される実施例ではまた、ブリッジ９の幅ｂＢが目標を有する形で予め画定されている。示される実施例では、幅ｂＢが、この事例ではｘ方向である押し込み方向Ｄに平行に、さらには第２のガイドスロット６のさらなる別の支持表面６ｂ、６ｂ’に平行に測定される。これは、通過領域の中まで押し通されることになるケーブルタイ１３をケーブルタイ１３の内側２２からケーブルタイストリップ１７の対応する戻り止め表面１９（図２）に戻り止め係合させるように働く。これは図２で詳細に見ることができる。ここでは、幅ｂＢが、例えば、ケーブルタイ１３上の、ケーブルタイストリップ１７の方を向くケーブルタイヘッド１６の前方側２５（図１０）と、ケーブルタイヘッド１６の方を向く、ケーブルタイストリップ１７の戻り止め突出部としての傾斜部分１８（図２）の戻り止め表面１９との間の間隔ｄＲ（図１０）に対応する。ここでは、幅ｂＢは、別法として、例えば、ケーブルタイヘッド１３上の、ケーブルタイヘッド１６の内部の案内表面３５（図１０）とケーブルタイヘッド１６の方を向く戻り止め表面１９との間の間隔に対応してもよい。
【０１２７】
最後に、この事例は、保持装置１が、ブリッジ９およびアーム７、８の上に、ケーブルタイストリップ１７の方を向くケーブルタイヘッド１６の前方側２５の表面領域に当接するための、押し込み方向Ｄに対して少なくとも実質的に垂直に方向付けられる当接表面１０をさらに有する。上記当接表面１０は、この事例では、ブリッジ９、および２つのアーム７、８の端部領域７ｃ、８ｃの全体を含み、さらには中央領域７ｂ、８ｂを部分的に含む。固定用脚部に近い当接表面１０の領域では、上記当接表面が、２つのアーム７、８の脚部領域７ａ、８ａによって少なくとも局所的に形成されている案内表面１１によって隣接されていてよい。示される実施例では、上記案内表面１１が平らであり、ｚ軸に対して傾斜しており、したがって、押し込み方向Ｄの押し込み動作中、ケーブルタイヘッド１６が案内表面１１に当接するとすぐにケーブルタイ１３がｚ軸を中心として回転させられるようになり、内側に位置する境界表面１２、１２’が支持表面６ｂおよび６ｂ’に対して押圧される。
【０１２８】
図２が、保持装置１の通過領域４を通るようにケーブルタイ１３が押されているときの図１の保持装置を示す。この実施例では、ここではケーブルタイ１３が内側２２に軟質部品１４を有する。軟質部品１４がストリップとして形成されており、結束される材料３９のための当接表面１５を形成する。軟質部品１４が、境界領域１２、１２’の間の中間領域または中央領域においてケーブルタイストリップ１７の内側２２に取り付けられ、ケーブルタイヘッド１６に隣接する。ここでは、ケーブルタイヘッドに近いケーブルタイストリップ１７の端部領域で、軟質部品１４が傾斜部分１８を形成する。
【０１２９】
傾斜部分１８は、例えば、ケーブルタイヘッド１６に向かう方向において、ｙ方向に増大する軟質部品１４の厚さｄＷＫによって形成されている。ここでは、傾斜部分１８が、軟質部品１４の端部のところに、ケーブルタイヘッド１６の方を向くように方向付けられる当接表面または戻り止め表面１９を形成する。示される実施例では、硬質部品２０の厚さｄＨＫおよび軟質部品１４の厚さｄＷＫが、傾斜部分１８の一領域において、通過領域４の高さｈＤよりも総じて大きい。これにより、ケーブルタイ１３が通過領域４を通るように押されてケーブルタイヘッド１６が保持装置１に接近するとき、傾斜部分１８の戻り止め表面１９をブリッジ９との戻り止め動作に関与させるためには打ち勝たなければならないわずかな抵抗が生じることになる。
【０１３０】
ケーブルタイ１３が保持装置１に対して押圧されて保持装置１との戻り止め動作に関与するとき、この実施例では、傾斜する案内表面１１によりケーブルタイヘッド１６が正のｙ方向においてブリッジ９に対して押圧され、その結果、ブリッジ９が傾斜部分１８との戻り止め動作に確実に関与するようになる。さらに、このようにして、境界領域１２、１２’が支持表面６ｂ’および６ｂに対して押圧される。
【０１３１】
次いで、図３が、図２の例示のケーブルタイ１３が完全な組み立て状態にある、図１の保持装置１を示す。ここでは、ケーブルタイヘッド１６および傾斜部分１８が戻り止め表面１９との戻り止め動作に関与するようになるまで、ケーブルタイ１３が通路または通過領域４を通るように押されている。ここでは、ケーブルタイストリップ１７がケーブルタイヘッド１６を通して挿入されており、ケーブルタイヘッド１６との戻り止め動作に関与している。ここでは、明瞭さのために、この事例ではケーブルタイストリップ１７の外側２１上にあることが考えられ得るような、ケーブルタイストリップ１７の歯が示されていない。ここでは、ケーブルタイ１３の軟質部品１４および硬質部品２０に加えて、ケーブルタイ１３の内側２２および内側の境界領域１２、ならびに縁部側２３がさらに示されている。この実施例では、結束される材料３９がここでは、ケーブルタイ１３によって形成されているループを通ってｚ方向に延在することになる。ここでは、軟質部品１４によって形成されている当接表面１５に当接する結束される材料が、内側領域２２の残りの部分から、具体的には境界領域１２、１２’から離間されて保持される。したがって、結束される材料３９が、ケーブルタイ１３の硬質部品２０および保持装置１の両方から所定の間隔を有するように保持されることになる。示される実施例では、傾斜部分１８は、保持装置１に対して間隔ｄＡ（図１２および１４）を有するように非接触の形で保持されるためには不可欠なものである。
【０１３２】
次いで、図４が保持装置１の別の例示の実施形態を示す。図１から３に示される保持装置１の事例と同様に、この保持装置１は、２つのアーム７、８と、固定用脚部２の反対側を向く端部領域７ｃ、８ｃ内でアーム７、８を接続するブリッジ９とを備える固定用ヘッド３を有する。このようにして、孔状の通過領域４が実現されるが、同時にケーブルタイヘッド１６（図５）のためのケージ状の構造も提供される。
【０１３３】
上の例示の実施形態から既に知られているように、第１のガイドスロット５の支持表面５ａ、５ｂがアーム７、８の内側に位置する側面上に設けられることになる。示される実施例では、上記支持表面が平らなデザインであり、各々の事例においてｘ−ｙ平面においてアーム７、８に沿って中央領域７ｂ、８ｂから端部領域７ｃ、８ｃまで延在する。上の例示の実施形態から既に知られているように、第１のガイドスロット５の２つの支持表面５ａ、５ｂが、固定用脚部２の方を向く支持表面５ａ、５ｂの領域内で、第２のガイドスロット６の１つの支持表面６ａの方へと移行する。この事例でも同様に、つまりこの実施例でも同様に、２つの支持表面５ａ、５ｂが、通過用開口部４を通るように押されることになるケーブルタイ１３の縁部側２３、２３’に当接するように設計されている。
【０１３４】
ここでは、第２のガイドスロット６の上記１つの支持表面６ａが正のｙ方向を指す法線ベクトルを有するが、示される実施例では、第２のガイドスロット６の対応するさらなる別の支持表面６ｂが反対に方向付けられ、負のｙ方向を指す対応する法線ベクトルを有する。しかし、ここでは、支持表面６ａ、６ｂがｘ方向においてオフセットされている。これには、例えば図６に示されるような完全な組み立て状態において、上記１つの支持表面６ａがケーブルタイ１３の外側２１に当接するように配置されており、さらなる別の支持表面６ｂが、ケーブルタイストリップ１７の方を向くケーブルタイヘッド１６の前方側２５に当接するように配置されている、という効果がある。これにより、ケーブルタイ１３が特に好都合に安定して保持されるようになる。
【０１３５】
さらに、ここで示される実施形態は、反対に方向付けられてこの事例では平行である支持表面２４ａ、２４ｂを備える第３のガイドスロット２４を有する。示される実施例では、上記支持表面２４ａ、２４ｂはさらに互いに対してオフセットされており、具体的にはこの事例ではｙ方向においてオフセットされている。第３のガイドスロット２４の１つの支持表面２４ａがこの事例では負のｘ方向に方向付けられ、さらにこの実施例では第２のガイドスロット６の１つの支持表面６ａに隣接し、および／または支持表面６ａが支持表面２４ａの方へ移行している。ここでは、支持表面２４ａが、少なくとも局所的に、２つのアーム７、８の脚部領域７ａおよび８ａによって形成されており、ならびに／または脚部領域７ａおよび８ａに隣接する。正のｘ方向に方向付けられるさらなる別の支持表面２４ｂが示される実施例ではブリッジ９によって形成されており、アーム７、８の端部領域７ｃ、８ｃおよび／または第１のガイドスロット５の支持表面５ａ、５ｂの方へ移行している。したがって、ガイドスロット５、６、２４が安定したケージを形成し、そのケージの中で、ケーブルタイ１３がケーブルタイヘッド１６の領域内で高い信頼性で保持される。ここでは、示される実施例では、それぞれのガイドスロット５、６、２４が、各々の事例のそれらの支持表面５ａ、５ｂ、６ａ、６ｂ、２４ａ、２４ｂを互いに対して完全に垂直にするかまたは実質的に垂直にするように、方向付けられる。支持表面５ａ、５ｂ、６ａ、６ｂ、２４ａ、２４ｂは、互いに対して７５度から１０５度の間、また好適には８５度から９５度の間の何らかの他の角度で配置されてもよい。このように互いに対して実質的に垂直な向きであることにより、ケージ状の保持装置１内でケーブルタイ１３が特に良好に案内されるという利点が得られる。
【０１３６】
次に、図５が、押し込み方向Ｄにおいて通過領域４を通るように部分的に押された状態のケーブルタイ１３を備える、図４の保持装置１を示す。ここでは、ケーブルタイ１３がやはり例示の実施形態で示される。示される変形形態では、示されているような押し込み構成において、ケーブルタイ１３が通過領域４を通るように正のｘ方向に押されており、外側２１が正のｙ方向に方向付けられている。ここでは、上記ケーブルタイが、第１のガイドスロット５によりまたは第１のガイドスロット５の支持表面５ａ、５ｂにより、ケーブルタイの縁部側２３、２３’のところでのｚ方向のその動きを制限される。この事例では同様に、第２のガイドスロット６もｙ方向のケーブルタイ１３の動きを既に制限していてよいが、これは必須ではない。というのは、この実施例では、図６に基づいてさらに考察されるように、支持表面６ａ、６ｂが図１から３に示される例示の実施形態のようにケーブルタイストリップ１７の寸法に対して適合されていることに加えて、全体としてもケーブルタイ１３に対して適合されているからである。２つの支持表面２４ａ、２４ｂを備える第３のガイドスロット２４は、示される押し込み方向Ｄにケーブルタイ１３を導くときに最初は機能しない状態を維持する。
【０１３７】
次いでケーブルタイ１３が例えばケーブルタイヘッド１６の前方側２５をブリッジ９に当接させるかまたはブリッジ９の近傍まで移動させるような程度まで通過料機４の中に押し込まれると、その内側２２が依然として固定用脚部２の方向に方向付けられている状態のケーブルタイ１３が、意図される完全な組み立て状態を実現するためには、ｚ軸を中心として回転しなければならない。この完全な組み立て状態は図６に示される。
【０１３８】
正のｘ方向の押し込み方向Ｄにおける示される押し込みに対しての代替形態として、正のｙ方向において押し込みを実施することも実現され得る。この場合、その後でケーブルタイ１３を回転させることの必要性が排除される。しかし、正のｘ方向に押し込むことには以下のような利点がある：例えばｘ−ｚ方向に延在する例えばパネルなどの大きいコンポーネントに非常に接近する形で通過領域４が既に取り付けられているような、制限される条件下においても、上記のことを受けてｙ方向において必要となる空間が最小になるのでケーブルタイ１３が容易に可逆的に組み付けられた分解されたりされ得るようにもなる。
【０１３９】
この実施例では、支持表面５ａ、５ｂが、ケーブルタイストリップ１７の縁部側２３、２３’に当接することおよびケーブルタイヘッド１６の縁部側２３、２３’に当接することの両方のために設計されている。したがって、完全な組み立て状態において結束される材料３９に対して比較的接近する第１の領域内における支持表面５ａ、５ｂの間隔ｄ１が、結束される材料３９からより離れている支持表面５ａ、５ｂの第２のセクション内の間隔ｄ１’よりも小さくなる。したがって、支持表面５ａ、５ｂは、相対的に小さい間隔ｄ１を有する領域においては、ケーブルタイストリップ１７に当接するように設計されており、相対的に大きい間隔ｄ１’を有する領域においては、ケーブルタイヘッド１６に当接するようにまたはケーブルタイヘッド１６の縁部側２３、２３’に当接するように設計されている。ここでは、固定することを改善するために、側面５ａ、５ｂもケーブルタイ１３のヘッドの幾何形状に対して適合され得る。
【０１４０】
図６が、結束される材料３９を有さない、完全な組み立て状態にある説明された保持装置１と、ケーブルタイ１３とを示す。ここでは、ケーブルタイヘッド１６が端部位置に位置し、保持装置１により局所的にケージ状に囲まれる。ここでは、ケーブルタイヘッド１６の縁部側２３、２３’が第１のガイドスロット５の支持表面５ａ、５ｂに当接し、第３のガイドスロット２４の１つの支持表面２４ａがケーブルタイヘッド１６の内側２２に当接し、第３のガイドスロット２４のさらなる別の支持表面２４ｂが、ケーブルタイヘッド１６に隣接する領域内で、ケーブルタイストリップ１７の外側表面２１に当接する。第２のガイドスロット６の１つの支持表面６ａは、この事例では、ケーブルタイヘッド１６を通してケーブルタイストリップ１７を挿入することの結果としてケーブルタイヘッド１６の近傍まで通過する領域内でケーブルタイストリップ１７の外側２１に当接するように構成されている。第２のガイドスロット６のさらなる別の支持表面６ｂは、この事例では、ケーブルタイヘッド１６の前方側２５に当接するように構成されている。ケーブルタイストリップ１７の外側２１は、この事例では、ケーブルタイ１３を完全には組み立てていない状態において外側によって画定されている。支持表面５ａ、５ｂ、６ａ、６ｂ、２４ａ、２４ｂは、示される実施例では、ケーブルタイ１３の関連付けられる側部または表面に接触する形で正確な外形を作るように、また好適には積極的に押止するように、構成されている。
【０１４１】
したがって、示される完全な組み立て状態は、この実施例では、ケーブルタイ１３が最初に、保持装置１の通過領域４を通るように、ｘ方向であってよいかまたはｙ方向であってもよい押し込み方向Ｄである第１の方向に押されることにより、達成される。押し込み方向Ｄがケーブルタイヘッド１６を端部位置に配置することに対応しない場合、つまりこの事例では押し込み方向Ｄがｙ方向ではない場合、それよりも後の時点でケーブルタイ１３がｚ軸を中心として回転させられる。この場合、その結果、ケーブルタイストリップ１７が正のｙ方向を指すようになる。次いで、ケーブルタイストリップ１７がケーブルタイヘッド１６を通るように挿入されてその中で戻り止め動作に関与することにより、結束される材料３９（ここでは図示されない）の周りにループが形成されている。このようなケーブルタイヘッド１６を通してのケーブルタイストリップ１７の挿入中、２回目としてケーブルタイストリップ１７が通過領域４を通るように押される。第２の押し込み動作によって画定されている対応する第２の押し込み方向は、この事例では、第１の押し込み方向とは異なり、この事例では第１の押し込み方向とは反対であってよい。
【０１４２】
したがって、まとめると、第２のガイドスロット６および第３のガイドスロット２４の支持表面６ａ、６ｂ、２４ａ、２４ｂが、ケーブルタイヘッド１６を通してケーブルタイストリップ１７を挿入することの結果として形成される交差領域のところに対角線上に反対側に位置する２つの角部または角部領域に当接し、したがって上記支持表面が洗練された形でｙ方向およびｘ方向においてケーブルタイ１３を固定する。この事例では、ｚ方向の変位が第１のガイドスロットによって防止される。まとめると、支持表面２４ｂおよび６ｂを備えるブリッジ９、および２つのアーム７、８の脚部領域７ａ、８ａを備える固定用ヘッド３がケージとして機能し、ここではループが閉じられることの結果としてケーブルタイ１３がクランプされる。
【０１４３】
図７が、この事例では完全な組み立て状態においてケーブルタイヘッド１６の端部位置まで既に押されているケーブルタイ１３を備える、保持装置１の別のデザインの変形形態の斜視図を示す。上述の実施例において既に当てはまっていることであるが、保持装置１がこの事例では第１のガイドスロット５の支持表面５ａ、５ｂを有し、支持表面５ａ、５ｂがこの事例では互いに反対に平行に方向付けられるように構成されており、ケーブルタイストリップ１７およびケーブルタイヘッド１６の縁部側２３、２３’に当接するように設計されている。この目的のため、ケーブルタイヘッド１６およびケーブルタイストリップ１７がこの事例では相互に異なる幅ｂＫＢ、ｂＫＢ’を有するので、支持表面５ａ、５ｂが異なる間隔ｄ１、ｄ１’を有するように構成されている。したがって、さらに、ケーブルタイヘッド１６の縁部側２３、２３’に当接するように設計されている側面５ａ、５ｂの領域内の間隔ｄ１’が、ケーブルタイストリップ１７の縁部側２３、２３’に当接するように支持表面５ａ、５ｂが設計されているところの領域内の支持表面５ａ、５ｂの間隔ｄ１よりも大きいということになる。また、この事例では、第１のガイドスロット５がｚ方向に方向付けられており、つまりｚ方向に配置されている。
【０１４４】
この事例では、第２のガイドスロット６の支持表面６ａ、６ｂが保持装置１またはケーブルタイヘッド１６によって隠されている。しかし、この事例では、支持表面６ａ、６ｂは各々がｚ−ｘ平面に位置しており、一方の支持表面６ａが正のｙ方向に方向付けられており、さらなる別の支持表面６ｂが負のｙ方向に方向付けられている。ここでは、さらなる別の支持表面６ｂが、ケーブルタイヘッド１６の示される端部位置において、ケーブルタイヘッド１６の前方側２５（図１０）に当接するように配置されている。したがって、第２のガイドスロット６のさらなる別の支持表面６ｂがこの事例では正のｙ方向である押し込み方向Ｄにおけるケーブルタイ１３の動きを制限する。
【０１４５】
この事例では、第３のガイドスロット２４がｘ方向に方向付けられており、ここでは、一方の支持表面２４ａがケーブルタイヘッド１６の内側２２に当接するように設計されており、さらなる別の支持表面２４ｂがケーブルタイヘッド１６の外側２１に当接するように設計されている。したがって、第３のガイドスロット２４が、ｚ方向におけるケーブルタイ１３またはケーブルタイヘッド１６の並進変位を防止する。
【０１４６】
やはりここでも、ガイドスロット５、６、２４が通過領域４内に孔状の開口部を形成し、この開口部が支持表面５ａ、５ｂ、６ａ、６ｂ、２４ａ、２４ｂによって境界を画定されている。
【０１４７】
この事例では、支持表面の対５ａ、５ｂ、６ａ、６ｂ、２４ａ、２４ｂが互いに対して実質的に垂直である。ここでは、第１のガイドスロット５の一方の支持表面５ａがｘ方向（この事例では正）において第３のガイドスロット２４の１つの支持表面２４ａへと移行しており、また示される実施例ではｚ方向（この事例では負）においてさらなる別の支持表面２４ｂへと移行しているか、またはこの事例では第３のガイドスロット２４の前者の支持表面２４ａと正反対になるように（つまり、オフセットされないように）配置されている支持表面２４ｂの領域２４ｂ’へと移行している。同様に、第１のガイドスロット５のさらなる別の支持表面５ｂが、ｘ方向（この事例では正）に位置するその領域において、第３のガイドスロット２４の一方の支持表面２４ａへと移行しており、またｚ方向（この事例では負）において、前者の支持表面２４ａと正反対になるように配置されている第３のガイドスロット２４のさらなる別の支持表面２４ｂのセクション２４ｂ’へと移行している。さらなる別の支持表面２４ｂのセクション２４ｂ’がこの事例では周囲係合部（ｅｎｇａｇｉｎｇ−ａｒｏｕｎｄ  ｐｏｒｔｉｏｎ）２８のところに配置されており、この周囲係合部２８がｘ方向（この事例では負）においてケーブルタイヘッド１６の周りに係合されており、したがって端部位置においてｘ方向において上記ケーブルタイヘッドをやはり固定する。周囲係合部２８は、この事例では、第３のガイドスロット２４のさらなる別の支持表面２４ｂの領域２４ｂ’内で２つのアーム７、８によって形成されている。したがって、支持表面５ａ、５ｂ、２４ａ、２４ｂが、示される実施例では、ｙ方向に延在しているダクトを形成しており、ケーブルタイストリップ１７およびケーブルタイヘッド１６を備えるケーブルタイ１３がこのダクトの中に押し込まれる。ここでは、ダクトが、ケーブルタイヘッド１６の外部輪郭に対して相補的である内部輪郭を有する。したがって、ケーブルタイヘッド１６がダクト内で凹部を有するような形で受けられ得る。
【０１４８】
この事例では、支持表面５ａ、５ｂおよび２４ｂが、各々の事例のいずれにおいても、ｙ方向（この事例では正）において第２のガイドスロットのさらなる別の支持表面６ｂへと移行しており、その結果、すぐ上で説明したダクトがｙ方向において閉鎖されている。したがって、ケーブルタイ１３は、ケーブルタイヘッド１６の前方側２５を経由してダクトの端部のところで支持表面６ｂに当接するようになるまで、ｙ方向においてのみダクトの中へと挿入され得る。次いで、この事例では、ケーブルタイヘッド１６がダクトの中で凹部を有するような形で受けられる。ここでは、追加の戻り止め要素２７がダクトの内側に取り付けられ得、例えば第３のガイドスロット２４の一方の支持表面２４ａに取り付けられ得、この追加の戻り止め要素により、ケーブルタイヘッド１６が示される端部位置において戻り止め動作に関与することができる。
【０１４９】
ここでは、通過領域４が、境界部分内で、具体的にはブリッジ９によって形成されている境界領域のところで、突出部２９またはラグを有することができ、この突出部２９またはラグが、具体的には、示される端部位置においてケーブルタイヘッド１６の内側でｚ方向に延在している上記のタイプの突出部または上記のタイプのラグの延長部分を形成している。これが、通過領域４によりケーブルタイストリップ１７を安定させるようにおよびその案内を向上させるように機能する。
【０１５０】
図８が、異なる視点からの、図７に示される図の別の斜視図を示す。したがって、ここでは、軟質部品１４を備えるケーブルタイ１３の内側２２が示されることになる。さらに、ここではまた、第２のガイドスロット６の前者の支持表面６ａが保持装置１によって隠されないことになる。さらに、支持表面５ａ、５ｂが、ｚ方向においてケーブルタイストリップ１７を案内するためにおよび保持するために設けられている、間隔ｄ１で互いから離間される領域５ａ’および５ｂ’を有する。示される実施例では、支持表面５ａ、５ｂの各々がＬ形である。
【０１５１】
次に、図９が、結束される材料３９を有さない、ケーブルタイ１３が完全に組み立てられた状態である、上述の保持装置１を示す。図９は、保持装置１の通過領域４を２回通るように押されているケーブルタイ１３によりやはり完全な組み立て状態が達成されることを示す。通過領域４を通しての第２の押し込みが、この事例では、ケーブルタイヘッド１６を通るようにケーブルタイストリップ１７が押されるときと同時に行われ、この事例ではケーブルタイヘッド１６が保持装置１によって隠されている。製造プロセスの結果としての初期状態においてケーブルタイヘッド１６から離れて配置されているケーブルタイストリップ１７の領域が第２の押し込み動作中に支持表面６ａに当接して次いでケーブルタイストリップ１７がケーブルタイヘッド１６を通るように押されるという事実により、追加の戻り要素２７がなくても、ケーブルタイヘッド１６が負のｙ方向において後方に滑ることが防止される。もう一方の方向のケーブルタイヘッド１６の動きは、上述のダクトまたは通過領域４のケージ状の構造によって防止される。ここでは、ケーブルタイヘッド１６の外部輪郭に対して適合されている支持表面５ａ、５ｂの内部輪郭、およびケーブルタイストリップ１７の幅ｂＫＢに対して適合されている支持表面５ａ、５ｂの間隔ｄ１が、保持装置１内でケーブルタイ１３を安定して保持することに寄与する。
【０１５２】
したがって、やはり、保持装置１により、交差領域においてケーブルタイ１３がそれ自体を通るように導かれることの結果として形成される対角線上に反対側に位置する２つの角部または角部領域において、ケーブルタイ１３の内側２２上での結束される材料３９の固定中に保持装置１を用いてケーブルタイ１３が通過領域４内でクランプされる。ここでは、第１のガイドスロット５の支持表面５ａ、５ｂがケーブルタイ１３がｚ方向に滑るのを防止し、第２のガイドスロットの支持表面６ａ、６ｂがケーブルタイ１３のｙ方向の動きを防止し、第３のガイドスロット２４の支持表面２４ａ、２４ｂがケーブルタイ１３のｘ方向の動きを防止する。ケーブルタイヘッドの近くに位置しているケーブルタイストリップ１７の領域内でこの事例では軟質部品１４によって形成されている傾斜部分１８により、ここでは、結束される材料３９の間隔ｄＡが保持装置１までの所定の最小間隔未満まで低下しないことが保証される。
【０１５３】
図１０ａ〜ｄが様々な方向から見た図および断面図でケーブルタイ１３の例示の実施形態を示す。
【０１５４】
したがって、図１０ａが、ｘ方向に主延在方向としての長手方向を有する形で延在する、ケーブルタイヘッド１６およびケーブルタイストリップ１７を備えるケーブルタイ１３を示す。これに対して横方向において、ケーブルタイストリップ１７がｚ方向に幅ｂＫＢを有する。この事例では例えば外側２１に配置されている歯２９に加えて、ケーブルタイストリップ１７の幅ｂＫＢがケーブルタイヘッド１６の幅ｂＫＢ’より小さいことも示されている。これらの幅ｂＫＢ、ｂＫＢ’は、有利には、支持表面５ａ、５ｂ（図１から９）の間隔ｄ１、ｄ１’に対して適合されている。
【０１５５】
図１０ｂが、図１０ａでＡ−Ａによって示される断面線での断面を示す。したがって、示される実施例では、ｙ−ｚ平面においてケーブルタイ１３のケーブルタイストリップ１７を通る断面を見ることができる。軟質部品１４が、この事例では、ケーブルタイ１３またはケーブルタイストリップ１７の内側２２上でストリップの形態で配置されている。ここでは、軟質部品１４の幅ｂＷＫが、硬質部品２０によって画定されているケーブルタイストリップ１７の幅ｂＫＢより小さい。
【０１５６】
この事例では、２つの結合要素３１が内側で硬質部品２０の上に示されており、これらの結合要素が硬質部品２０に対しての軟質部品１４の接着性を向上させる。したがって、ケーブルタイストリップ１７の内側２２が軟質部品１４により中央領域内に形成されており、さらに硬質部品２０により、縁部側２３、２３’に隣接するそれぞれの境界領域１２、１２’内に形成されている。
【０１５７】
この事例では、軟質部品１４が中央領域内で第１の厚さｄＷＫ’を有し、境界領域１２、１２’の方を向くそれぞれの領域内で異なる厚さｄＷＫを有する。この事例では、厚さｄＷＫ’が厚さｄＷＫより小さい。したがって、溝３２が軟質部品により内側に形成されている。示される実施例では、厚さｄＷＫがケーブルタイストリップの厚さｄＫＢの４５％から５５％の間となる。
【０１５８】
図１０ｃが横方向の図（ｗｉｄｔｈ  ｖｉｅｗ）でケーブルタイ１３を示す。ここでは、ケーブルタイ１３が軟質部品１４および硬質部品２０を備えることを明瞭に見ることが可能であり、ここでは軟質成分１４が硬質部品２０より柔らかい。ここでは、軟質部品１４が、ストリップの形態で、ケーブルタイ１３の、またより具体的にはケーブルタイストリップ１７の内側２２に取り付けられており、つまり局所的に上記内側２２を形成している。
【０１５９】
ケーブルタイヘッドの近くに位置しているケーブルタイストリップ１７の第１の端部領域３０内において、この実施例では、ケーブルタイヘッド１６に向かって軟質部品１４の幅ｄＷＫ、ｄＷＫ’が増大することにより傾斜部分１８が形成されている。上記傾斜部分１８が、ケーブルタイヘッド１６の方を向く方向において、当接表面または戻り止め表面１９を有し、この当接表面または戻り止め表面１９が、示される実施例では、ｘ方向およびひいてはケーブルタイ１３の長手方向に対して垂直にまたは実質的に垂直に方向付けられている。これは図１０ｅでもより詳細に示されている。
【０１６０】
ケーブルタイヘッド１６からさらに離れて位置している第２の端部領域３３内において、軟質部品がこの事例では隆起部３４を有する。上記隆起部３４は、ここでは、ケーブルタイストリップ１７の端部に向かって最初は増大してその後でゼロに戻る厚さｄＷＫまたはｄＷＫ’によって形成されている。やはり、これも図１１でより詳細に見ることができる。
【０１６１】
次に、図１０ｄがケーブルタイ１３の内側の平面図を示す。ここでは、軟質部品１４がケーブルタイ１３の長手方向つまりｘ方向にストリップの形態でケーブルタイストリップ１７に沿って延在していることを見ることが可能である。ここでは、この事例では、軟質部品１４が、内側に、結束される材料３９のための当接表面１５を形成している。幅ｂＷＫはこの事例ではケーブルタイストリップ１７の幅ｂＫＢ’より明らかに小さい。その結果、側部領域１２、１２’も同様に示されている。第２の端部領域３３内で、溝３２がこの事例では隆起部３４の方へと移行している。
【０１６２】
図１０ｅが、図１０ｄのＢ−Ｂによって示される断面線を通るｘ−ｙ平面での、長手方向の断面を示す。ここでは、軟質部品１４の厚さｄＷＫが傾斜部分１８の領域内で最大厚さｄＷＫＲまで増大する。最大厚さｄＷＫＲは、傾斜部分から離れた領域における軟質部品１４の厚さｄＷＫの、例えば２．５倍といったように、数倍の大きさを有することができる。
【０１６３】
ここでは、ケーブルタイヘッド１６の方向において傾斜部分が戻り止め表面１９を形成している。上記戻り止め表面がケーブルタイヘッド１６内の戻り止めデバイスの内側３５まで間隔ｄＲを有するように構成されており、ケーブルタイヘッド１６との戻り止め動作にケーブルタイストリップ１７が関与している状態において、この内側３５に対してケーブルタイストリップ１７の内側２２が当接する。有利には、上記間隔ｄＲが例えばブリッジ９（図１）の幅ｂＢに対して適合されており、それにより保持装置１内での戻り止め動作によりケーブルタイ１３を堅固に係合させることが実現される。
【０１６４】
図１１が、設置前の状態において、ケーブルタイストリップ１７がケーブルタイヘッド１６を通るように部分的に押された状態の、ケーブルタイ１３の斜視図を示す。ここでは、ケーブルタイヘッド１６が、そこを通して挿入されることになるケーブルタイストリップ１７のための開口部内に、突出部３６を有し、この突出部３６はケーブルタイヘッド１６を通して挿入されるところのケーブルタイストリップ１７の内側２２の方に方向付けられている突出部３６であり、軟質部品１４の内側において溝３２の中に係合される。したがって、この事例では、軟質部品１４により隆起部３４がケーブルタイストリップ１７の端部領域３３内に形成されている。ケーブルタイストリップ１７が示される組み立て前の状態として配置されている場合、ケーブルタイストリップ１７をケーブルタイヘッド１６から引き抜くことがより困難となる。というのは、隆起部３４の領域内で軟質部品１４が変形させられる場合にしか溝３２内の突出部３６が隆起部３４の上で引かれ得ないからである。したがって、この組み立て前の状態では、ケーブルタイヘッド１６に対してのケーブルタイストリップ１７の一時的な結合がひとりでに望まれずに解除されることが妨げられ、つまり防止される。
【０１６５】
突出部３６は溝３２とは無関係に設けられてもよい。突出部は、負のｘ方向において隆起部３４の後方においても、ケーブルタイヘッド１６を通るように押されたケーブルタイストリップ１７の軟質部品１４を変形させるような程度で、負のｙ方向に突出していてよい。したがって、ケーブルタイストリップ１７の支持が改善されることで、引張荷重があるときのケーブルタイストリップ１７の変形が低減され、したがってケーブルタイ１３の信頼性が向上する。
【０１６６】
次に、図１２が、例示のケーブルタイ１３を備える保持デバイス１の例示の実施形態の側面図を示す。ここでは、ケーブルタイ１３と、この事例では傾斜部分１８を備える内側２２上の高くなっている当接表面１５との組み合わせにより、結束される材料（ここでは示されない）が、洗練された形で、保持装置１に対して予め決定され得る間隔ｄＡを有する非接触の形で保持され得ることが明らかである。内側２２上では、結束される材料３９のための当接表面１５および傾斜部分１８がこの事例では軟質部品１４によって形成されている。
【０１６７】
図１３が、ケーブルタイストリップ１７の１セクション内の内側２２の斜視図を示す。この事例では、軟質部品１４がストリップの形態でケーブルタイストリップ１７の内側２２上に配置されている。したがって、内側２２が中央領域内において軟質部品１４によって形成されており、それぞれの境界領域１２内において硬質部品２０によって形成されている。また、ここでは、結束される材料３９のための当接表面１５が軟質部品１４によって形成されている。
【０１６８】
示される実施例では、軟質部品１４がプロフィール３７を有する。上記プロフィールまたは構造が、軟質部品１４の厚さｄＷＫの例えば５０パーセントになるプロフィールの深さ（ｐｒｏｆｉｌｅ  ｄｅｐｔｈ）ｄＰを有する。示される実施例では、プロフィール３７が２列の高くなっている一様な三角形３８を備え、それらの頂点を交互の形でこの事例で反対に方向付けているこれらの三角形は、ケーブルタイストリップ１７の長手方向またはｘ方向に対して垂直に方向付けられている。
【０１６９】
図１４が、完全な組み立て状態である結束される材料３９を備える、ケーブルタイ１３を備える保持装置１の斜視図を示す。ここでは、この事例では多数の個別のケーブル４０を備える結束される材料３９が（同様に、シングルケーブル４０をのみを、または例えばパイプなどの他の物品を備えてもよいが）、ケーブルタイ１３の内側２２上において、内側のケーブルタイ１３によって保持されており、保持装置１が保持装置１に対して所定の間隔ｄＡを有するように保持されている。ここでは、この例示の実施形態では、ケーブルタイヘッド１６が保持装置１内でまたは保持装置１の固定用ヘッド３内で凹部を有するような形で配置されており、したがって他の影響から保護されている。したがって、示される実施例では、保持装置１が大部分としてまたは排他的にケーブルタイ１３の硬質部品２０に接触する。
【０１７０】
図１５が図４の保持装置の例示の変形形態を示す。示される実施例では、第１のガイドスロット５が分割されている支持表面５ａ、５ｂをさらに有し、これらの分割されている支持表面５ａ、５ｂが、意図される使用中に、各々の事例において、相互に離間される異なる領域（つまり、非ゼロの間隔によって分離されている領域）において、ケーブルタイストリップ１７および／またはケーブルタイヘッド１６の縁部側２３、２３’を支持している。したがって、分割されている支持表面５ａ、５ｂが部分的な支持表面５ａ’、５ａ’’、５ａ’’’、５ｂ’、５ｂ’’、５ｂ’’’を有し、これらの支持表面５ａ’、５ａ’’、５ａ’’’、５ｂ’、５ｂ’’、５ｂ’’’が、少なくとも局所的に、つまり局所的にまたは全体として、互いに平行に延びており、異なる領域においてケーブルタイ１３を支持することを意図されている。
【０１７１】
この事例では、Ｕ字の側方側の脚部としての部分的な支持表面５ａ’、５ｂ’がＵ字の基部側の脚部としての第２のガイドスロット６の支持表面６ａに隣接している。同様に、別のＵ字の側方側の脚部としての部分的な支持表面５ａ’’、５ｂ’’が、この別のＵ字の基部側の脚部としての第３のガイドスロット２４の支持表面２４ｂに隣接している。別の対の部分的な支持表面５ａ’’’、５ｂ’’’が、この事例では、固定用脚部２上に配置されており、示される実施例では固定用脚部２の移動可能なクランプ要素４２上に示されている。
【０１７２】
図１６が保持装置の別の例示の実施形態を示す。ここでは、第２のガイドスロット６の第１の支持表面６ａが押し込み方向つまりｘ方向において弓形になっている。したがって、ケーブルタイストリップ１３が、正のまたは負のｘ方向での意図される押し込み時に、その内側２２に向かって湾曲し、その結果、複数の領域において、結束される材料３９の周りでケーブルタイストリップ１３が曲げられることが回避される。弓形部分は、第１の支持表面６ａの法線ベクトルを有する平面内で、つまりこの事例ではｘ−ｙ平面内で、所定の半径を有することができる。したがって、保持装置１にケーブルタイ１３を組み付けることおよびその後で定着される材料３９を固定することが容易になる。この事例では、支持表面６ａに対して垂直な断面において、Ｕ字の側方側の脚部としての支持表面５ａ、５ｂがＵ字の基部側の脚部としての第２のガイドスロット６の支持表面６ａに隣接している。さらなる別の支持表面５ａ、５ｂ、６ｂ、６ｂ’と共に、弓形の支持表面６ａにより、この事例ではケーブルタイ１３のための凹部形の受け部分が実現される。
【０１７３】
示される実施例では、第１の支持表面６ａが、この事例では反対側に方向付けられるさらなる別の支持表面６ｂ、６ｂ’に対してオフセットされて配置されている。この目的のため、アパーチャ４３がそれぞれの空間領域内に設けられ、第１の支持表面６ａのさらなる別の支持表面６ｂ、６ｂ’の反対側に位置している。したがって、この事例では、支持表面６ａが、湾曲部によって生じるずれの範囲内で、正のｙ方向に方向付けられており、支持表面６ｂ、６ｂ’が、対応するずれを有するように負のｙ方向に方向付けられている。
【０１７４】
この事例では、第１の支持表面６ａが、押し込み方向Ｄにおいてさらなる別の支持表面６ｂ、６ｂ’よりも大きい延在量を有する。この対称性により、この事例では、示される押し込み方向Ｄとは逆でもケーブルタイを保持装置１の中に押し込むことが可能となる。押し込み方向Ｄにおける第１の支持表面６ａの延在量は、この事例では、押し込み方向Ｄにおけるさらなる別の支持表面６ｂ、６ｂ’の延在量の３倍を超える大きさである。この事例では、２つのさらなる支持表面６ｂおよび６ｂ’が、それぞれ、それぞれの支持表面５ｂおよび５ａを介して支持表面６ａの方へと移行している。したがって、まとめると、Ｃ形の円弧が、ｚ方向にＵ形の断面を有する２つの円弧によって形成されており、これらの２つの円弧の両方が、それぞれの基部側の脚部としての支持表面５ａおよび５ａと共に、側方側の脚部としての支持表面６ａを有し、ここでは上記円弧が意図される使用中にケーブルタイ１３の周りに係合されている。ここでは、２つのアーム７、８の中央領域７ｂ、８ｂおよび端部領域７ｃ’、８ｃが、支持表面６ｂ、６ｂ’と共に、Ｃの端部を形成している。ここでは、断面に対して垂直である、Ｃ形の円弧の後方壁としての、支持表面６ａが、２つのアーム７、８の端部領域７ｃ、８ｃの延在量より数倍大きい延在量を有する。
【０１７５】
図１７が、ループを形成するように閉じられている例示のケーブルタイを有する図１６の保持装置を示す。ここでは、端部領域７ｃおよび中央領域７ｂに対して正のおよび負のｘ方向における脚部領域７ａのより大きい延在量により、支持表面６ａと共に、大きい領域に跨ってケーブルタイ１３をいかにして支持するかが示されており、ここでは、保持装置１と結束される材料（図示せず）との間の所定の最小の間隔ｄＡが維持される。この事例ではケーブルタイ１３のループの曲率に対応する支持表面６ａの曲率半径ｒも示されている。この湾曲部により、脚部領域７ａが、この事例では、ヘッド領域７ｃより大きい正のｙ方向における延在量を有する。対称性のために、ここでは、アーム７のために説明したことが、必要な変更を加えて、アーム８にも適用される。
【０１７６】
ケーブルタイ１３が、この事例では、ケーブルタイヘッドの近くに位置しているケーブルタイストリップ１７の端部領域３０内で、軟質部品１４から形成されている傾斜部分１８を有する。ここでは、傾斜部分１８がリップ４４によって隣接されており、リップ４４が、端部領域３０内の軟質部品１４と、ケーブルタイヘッド１６の中に押し込まれたケーブルタイストリップの領域内の軟質部品１４との間の隙間４５のサイズを縮小させる。
【０１７７】
図１８が、保持装置の中に押し込まれた閉じられていない例示のケーブルタイを有する図１６の保持装置を示す。図１７を基準として回転させられているこの斜視図は、アーム７、８が比較的小さい領域においてケーブルタイ１３の境界領域１２、１２’の周りでそれらの端部領域７ｃ、８ｃに係合されており、支持表面６ａが比較的大きい領域においてケーブルタイストリップ１７の外側２１を支持しており、つまり比較的大きい領域において外側２１を支承している、ことを示す。
【０１７８】
図１９ａ〜ｄが、図１０ａ〜ｄに対応して、様々な方向から見た図および断面図で、ケーブルタイ１３の別の例示の実施形態を示す。
【０１７９】
したがって、図１０ａがケーブルタイヘッド１６およびケーブルタイストリップ１７を備えるケーブルタイ１３を示しており、このケーブルタイが主延在方向としてｘ方向の長手方向を有する形で延在している。
【０１８０】
図１０ａに示されるケーブルタイ１３とは対照的に、この事例では、高くなっている球状セグメント形状の摺動用突出部４６が、ヘッドから離れているケーブルタイストリップの端部領域上の中央に配置されている。さらに、ここでは、歯４１と摺動用突出部４６との間で、戻り止めばね要素４７がケーブルタイストリップ１７に一体化されており、この戻り止めばね要素によりケーブルタイストリップがケーブルブルタイヘッド内での戻り止め動作に一時的に関与することができるようになる。また、示される実施例では、それぞれのマーキング４８、４８’が、ケーブルタイヘッドから離れているケーブルタイストリップ１７の端部領域内の中に、およびケーブルタイヘッド１６上に、付されている。マーキング４８、４８’は、マーキング４８、４８’を位置合わせするときにケーブルタイにより最大半径を有するループが形成されることになるように、位置決めされる。最大半径は、この事例では、ケーブルタイストリップ１７がケーブルタイヘッド１６との戻り止め動作に依然として高い信頼性で関与し得る場合の上限の半径である。
【０１８１】
図１９ｂが、図１９ａのＢ−Ｂによって示される断面線での断面を示す。したがって、示される実施例では、ｙ−ｚ平面においてケーブルタイ１３のケーブルタイストリップ１７を通る断面を見ることが可能である。軟質部品１４が、この事例では、ケーブルタイ１３またはケーブルタイストリップ１７の内側２２上でストリップの形態で配置されている。この例示の実施形態では、硬質部品の厚さｄＨＫが縁部側２３、２３’に向かって境界領域１２、１２’内で減少するので、内側２２が外側２１に対して傾斜する。これは図２０ａ〜ｂでより詳細に示されている。
【０１８２】
この実施例では、ケーブルタイヘッドの近くに位置しているケーブルタイストリップ１７の第１の端部領域３０内において、ケーブルタイヘッド１６に向かって軟質部品１４の厚さｄＷＫ、ｄＷＫ’が増大することの結果として傾斜部分１８が形成されている。ケーブルタイストリップ１７の内側２２上の傾斜部分１８の領域内で、軟質部品１４がリップ４４を有する。リップ４４は硬質部品２０から離間されており、傾斜部分１８からケーブルタイストリップ１７を離れるケーブルタイヘッド１６の方向に延在している。したがって、リップ４４は具体的にはケーブルタイヘッドの方向における傾斜部分１８の延長部分として理解されてよく、この延長部分が、ケーブルタイヘッド１６の方に向かうにつれて、ケーブルタイストリップ１７から離れるように正のｙ方向に移行していく。これもやはり図１９ｅでより詳細に示されている。
【０１８３】
次に、図１９ｄがケーブルタイ１３の内側の平面図を示す。ここでは、軟質部品１４がケーブルタイストリップ１７に沿ってストリップの形でケーブルタイ１３の長手方向につまりｘ方向に延在していることを見ることができる。
【０１８４】
図１９ｅが、図１９ｄのＡ−Ａによって示される断面線を通るｘ−ｙ平面での、長手方向の断面を示す。ここでは、軟質部品１４の厚さｄＷＫが傾斜部分１８の領域内において最大厚さｄＷＫＲまで増大する。ここでは、ケーブルタイヘッド１６の方向において、傾斜部分１８の後に軟質部品１４のリップ４４が続いている。したがって、軟質部品１４とケーブルタイヘッド１６内の戻り止めデバイスの内側３５との間の間隔ｄＲが減少する。したがって、リップ４４が、ケーブルタイヘッド１６の方向において、ケーブルタイストリップの近くに位置するかまたはそれの比較的近くに位置する軟質部品１４の領域を越えて突出していてよい。リップ４４は説明される実施形態のすべてと組み合わされ得る。
【０１８５】
示される実施例では、ケーブルタイヘッド１６が、ケーブルタイヘッド１６を通るようにケーブルタイストリップ１７が押されるときに歯４１に係合される戻り止め凸部５６をさらに有する。したがって、ここでは、この事例では複数の（この事例では３個の）戻り止め用縁部である、少なくとも１つの戻り止め用縁部５７が歯の中に係合されている。この事例では、戻り止め用縁部５７が、具体的には、ｚ方向に、つまりケーブルタイストリップ１７との接触表面に沿って、弓形となっていてよい。
【０１８６】
図２０ａ〜ｂの各々が、幅方向での断面で、つまりｙ−ｚ平面で、それぞれの例示の保持装置と共に、境界領域内において傾斜している内側を備えるケーブルタイの例示の実施形態の詳細を示す。境界領域１２内において（さらに、対称性により、図１０ｂに対応して、反対側の境界領域１２’内において）、内側２２がケーブルタイストリップ１７の外側２１に対して角度αで傾斜している。この事例では、角度αは１５度であるが、基本的には最大１５度の許容誤差で上記値からずれていてよいことから、０度から３０度の間であってよいことになる。
【０１８７】
保持装置１の図２０ａおよび２０ｂでは、対応する支持表面５ｂ、６ｂおよび支持表面６ａを備える、各々の事例のアーム７のみが示されている。それに対応して、示されない第２のアーム８は対称性を有するデザインである。図２０ａでは、第２のガイドスロット６の支持表面６ａ、６ｂが互いに平行に延びており、それらの間隔に関して、境界領域１２内においてケーブルタイストリップ１７の厚さｄＨＫに対して適合されている。図２０ｂでは、第２のガイドスロット６の（実質的に）反対に方向付けられる支持表面６ａ、６ｂが互いに対して角度αで傾斜しており、つまり、境界領域１２内において、ケーブルタイストリップ１７の厚さｄＨＫのプロフィールに対して適合されている。したがって、図２０ａ〜ｂに示される保持装置１のいずれに対してもそれらと共に同一のケーブルタイ１３が利用され得る。図２０ｂに示される保持装置１は、この事例では、結束される材料（図示せず）に対しての間隔が増大するという利点を有する。というのは、アーム７が中央領域７ｂにおいてｙ方向により小さい延在量で突出するからである。支持表面５ｂおよび６ｂの間の角度が小さいことから、この変形形態はさらにより高い耐荷重能力を有する。保持装置１が、具体的には、図１および／または図１６の保持装置１の別の特徴を有することができる。
【０１８８】
図２１ａ〜ｃが、幅方向における断面図として、ケーブルタイおよび保持装置の別の例示の実施形態を示す。図２０ａ〜ｂと同様に、ここでは、保持装置１が、各々の事例において、第１のガイドスロット５および第２のガイドスロット６のアーム７、８および支持表面５ａ、５ｂ、６ａ、６ｂのみを備える単純な形で示される。
【０１８９】
図２１ａでは、軟質部品１４が、例えば図１０ｃまたは１９ｃに示される内側のストリップに加えて、ケーブルタイストリップの境界領域１２、１２’に隣接しているストリップのそれぞれの縁部領域内において、各々の事例の１つの翼部分５０、５０’を形成している。翼部分５０、５０’がこの事例ではケーブルタイストリップ１７の中心を基準として対称性を有し、ストリップと同様に、ケーブルタイストリップ１７の大部分にわたって延在している。ケーブルタイストリップ１７の示される断面では、翼部分５０、５０’が、ケーブルタイストリップ１７から離れる方向におよびストリップから離れる方向に、ストリップから始まって、ケーブルタイストリップの対応する境界領域から非ゼロの間隔を有するように延在している。ここでは、意図される使用中、アームの端部領域７ｃ、８ｃがそれぞれの翼部分５０、５０’の間に配置されており、結束される材料（図示せず）が翼部分５０、５０’により保持装置１から保護されることになる。
【０１９０】
図２１ｂでは、硬質部分２０が境界領域１２、１２’の間に中央部分５１を有し、中央部分５１が境界領域１２、１２’に対して垂直方向にまたはｚ方向に高くなっており、その中央部分５１の上に軟質部品１４が配置されている。したがって、境界領域１２、１２’が硬質部品２０の内側に対してｚ方向に窪んでおり、段差を形成している。この事例では、ケーブルタイストリップ１７が、外側に、ケーブルタイストリップ１７に沿って延びている、溝と称されてもよい、アパーチャ５２をさらに有する。
【０１９１】
図２１ｃに示される実施形態も上記のアパーチャ５２を有する。ここでは、第２のガイドスロット６の支持表面６ａが対応する突出部５３を有し、ケーブルタイストリップ１７が保持装置を通るように押されるときにこの突出部５３がアパーチャ５２の中に係合される。加えて、この事例では、ケーブルタイストリップの境界領域１２、１２’の各々が、ケーブルタイストリップに沿って延びている凹部５４、５４’を有する。したがって、凹部５４、５４’はケーブルタイストリップ１７上の内側を延びており、支持表面６ｂ、６ｂ’の一部分であってよく、つまり逆に言うと、支持表面６ｂ、６ｂ’が凹部５４、５４’の一部分であってよい。これに対応して、示される実施例では、ケーブルタイストリップ１７が、第２のガイドスロット６の第２の案内表面６ｂ、６ｂ’内に、対応するラグ５５、５５’を有し、これらのラグ５５、５５’が凹部５４、５４’の中に係合されている。
【０１９２】
図２２がケーブルタイの別の実施形態を示す。この事例では、傾斜部分１８上のリップ４４が軟質部品１４の全幅ｂＷＫにわたって延在している。したがって、軟質部品１４が、図２３に示されるように、具体的には、挿入されているケーブルタイストリップ１７に接近するところまで延在している。
【０１９３】
図２３が、ケーブルタイストリップがケーブルタイヘッドの中に挿入された状態の、図２２のケーブルタイを示す。ここでは、ケーブルタイストリップ１７が、第２の端部領域３３内に配置されている戻り止めばね要素４７との戻り止め動作に関与しており、その結果、ケーブルタイストリップ１７がケーブルタイヘッド１６から意図されずに引き抜かれ得ないようになる。同時に、端部領域３３の方を向く、軟質部品１４の端部部片上の隆起部３４が、軟質部品１４の厚さｄＷＫを増大させるところの隆起部の領域内において、リップ４４と共に、ケーブルタイヘッド１６を通ってケーブルタイストリップ１７が意図されずにさらに前方に滑るのを防止するように機能する。この効果は、軟質部品１４から正のｙ方向に突出する隆起部３４と、傾斜部分１８から負のｙ方向に突出するリップ４４とにより、促進される。
【図１】
2019524044.tif 000003
【図２】
2019524044.tif 000004
【図３】
2019524044.tif 000005
【図４】
2019524044.tif 000006
【図５】
2019524044.tif 000007
【図６】
2019524044.tif 000008
【図７】
2019524044.tif 000009
【図８】
2019524044.tif 000010
【図９】
2019524044.tif 000011
【図１０ａ）】
2019524044.tif 000012
【図１０ｂ）】
2019524044.tif 000013
【図１０ｃ）】
2019524044.tif 000014
【図１０ｄ）】
2019524044.tif 000015
【図１０ｅ）】
2019524044.tif 000016
【図１１】
2019524044.tif 000017
【図１２】
2019524044.tif 000018
【図１３】
2019524044.tif 000019
【図１４】
2019524044.tif 000020
【図１５】
2019524044.tif 000021
【図１６】
2019524044.tif 000022
【図１７】
2019524044.tif 000023
【図１８】
2019524044.tif 000024
【図１９ａ）】
2019524044.tif 000025
【図１９ｂ）】
2019524044.tif 000026
【図１９ｃ）】
2019524044.tif 000027
【図１９ｄ）】
2019524044.tif 000028
【図１９ｅ）】
2019524044.tif 000029
【図２０ａ）】
2019524044.tif 000030
【図２０ｂ）】
2019524044.tif 000031
【図２１ａ）】
2019524044.tif 000032
【図２１ｂ）】
2019524044.tif 000033
【図２１ｃ）】
2019524044.tif 000034
【図２２】
2019524044.tif 000035
【図２３】
2019524044.tif 000036
【国際調査報告】
2019524044.tif 000037
2019524044.tif 000038
2019524044.tif 000039
2019524044.tif 000040
2019524044.tif 000041
2019524044.tif 000042